(57)【特許請求の範囲】
【請求項１】
移動端末機がロッキング状態にあるとき、前記移動端末機に設けられた少なくとも１つのアプリケーションについて受信された通知メッセージを表示するディスプレイ部と、
前記移動端末機の動きをセンシングするセンシング部と、
前記移動端末機が要請した開始時間から所定時間区間の間にセンシングされた、前記移動端末機に対応するウェアラブルデバイスの動きに係わる第１情報及び前記ウェアラブルデバイスの状態を示す第２情報を、前記ウェアラブルデバイスから受信する通信部と、
前記第１情報に基づいて前記移動端末機の動きと、前記ウェアラブルデバイスの動きとの相関関係程度(a degree of correlation)が第１閾値よりも大きいと決定し、前記第２情報に基づいて前記ウェアラブルデバイスの状態がロッキング解除状態であると決定された場合、前記移動端末機の状態を前記ロッキング状態からロッキング解除状態に変更し、前記移動端末機の状態が前記ロッキング状態から前記ロッキング解除状態に変更されるとき、前記ディスプレイ部に表示された通知メッセージに係わる前記少なくとも１つのアプリケーションを前記ロッキング解除状態で自動実行する制御部と、を含む移動端末機。
【請求項２】
前記センシング部は、
前記ウェアラブルデバイスの動きがセンシングされた時間区間と同一時間区間の間、前記移動端末機の動きをセンシングすることを特徴とする請求項１に記載の移動端末機。
【請求項３】
前記制御部は、
前記移動端末機の動きと、既設定の動きとの相関関係程度が第２閾値よりも大きいか否かを決定し、
前記通信部は、
前記移動端末機の動きと、前記既設定の動きとの相関関係程度が前記第２閾値よりも大きい場合、前記ウェアラブルデバイスから、前記ウェアラブルデバイスの動きに係わる情報を受信することを特徴とする請求項１に記載の移動端末機。
【請求項４】
前記制御部は、前記移動端末機から所定距離範囲内にウェアラブルデバイスが存在することを認識し、
前記ディスプレイ部は、前記ウェアラブルデバイスが、前記所定距離範囲内に存在することが認識される場合、前記移動端末機の動きと、前記ウェアラブルデバイスの動きとが同一であるか、あるいは類似しているならば、前記移動端末機がロッキング解除されるということを知らせるメッセージを表示することを特徴とする請求項１に記載の移動端末機。
【請求項５】
前記制御部は、
前記移動端末機の動きと、前記ウェアラブルデバイスの動きとの相関関係程度が前記第１閾値よりも大きい場合、前記移動端末機が、前記ウェアラブルデバイスで行われている動作に対応する動作を遂行するように制御することを特徴とする請求項１に記載の移動端末機。
【請求項６】
前記通信部は、
前記移動端末機の動きと、前記ウェアラブルデバイスの動きとの相関関係程度が前記第１閾値よりも大きい場合、前記ウェアラブルデバイスから、前記ウェアラブルデバイスで再生中であるコンテンツ情報を受信し、
前記制御部は、
前記コンテンツ情報に基づいて、前記移動端末機が、コンテンツを再生するように制御することを特徴とする請求項１に記載の移動端末機。
【請求項７】
前記通信部は、
前記移動端末機の動きと、前記ウェアラブルデバイスの動きとの相関関係程度が前記第１閾値よりも大きい場合、前記ウェアラブルデバイスから、前記ウェアラブルデバイスが表示中であるウェブページ情報を受信し、
前記ディスプレイ部は、
前記ウェブページ情報に基づいて、ウェブページをさらに表示することを特徴とする請求項１に記載の移動端末機。
【請求項８】
移動端末機がロッキング状態にあるとき、前記移動端末機に設けられた少なくとも１つのアプリケーションについて受信された通知メッセージを表示するディスプレイ部と、
前記移動端末機の動きをセンシングする段階と、
前記移動端末機が要請した開始時間から所定時間区間の間にセンシングされた、前記移動端末機に対応するウェアラブルデバイスの動きに係わる第１情報及び前記ウェアラブルデバイスの状態を示す第２情報を、前記ウェアラブルデバイスから受信する段階と、
前記第１情報に基づいて前記移動端末機の動きと、前記ウェアラブルデバイスの動きとの相関関係程度が第１閾値よりも大きいか否かということを決定する段階と、
前記移動端末機の動きと、前記ウェアラブルデバイスの動きとの相関関係程度が前記第１閾値よりも大きいと決定され、前記第２情報に基づいて前記ウェアラブルデバイスの状態がロッキング解除状態であると決定された場合、前記移動端末機の状態を前記ロッキング状態からロッキング解除状態に変更する段階と、
前記移動端末機の状態が前記ロッキング状態から前記ロッキング解除状態に変更されるとき、前記ディスプレイ部に表示された通知メッセージに係わる前記少なくとも１つのアプリケーションを前記ロッキング解除状態で自動実行する段階と、を含む移動端末機の動作方法。
【請求項９】
前記センシングする段階は、
前記ウェアラブルデバイスの動きがセンシングされた時間区間と同一時間区間の間、前記移動端末機の動きをセンシングする段階を含むことを特徴とする請求項８に記載の移動端末機の動作方法。
【請求項１０】
前記受信する段階は、
前記移動端末機の動きと、既設定の動きとの相関関係程度が前記第１閾値よりも大きいか否かということを決定する段階をさらに含み、
前記移動端末機の動きと、前記既設定の動きとの相関関係程度が第２閾値よりも大きい場合、前記ウェアラブルデバイスから、前記ウェアラブルデバイスの動きに係わる情報を受信する段階を含むことを特徴とする請求項８に記載の移動端末機の動作方法。
【請求項１１】
前記動作方法は、
前記移動端末機から所定距離範囲内に、前記ウェアラブルデバイスが存在することを認識する段階と、前記ウェアラブルデバイスが、前記所定距離範囲内に存在することが認識される場合、前記移動端末機の動きと、前記ウェアラブルデバイスの動きとが同一であるか、あるいは類似しているならば、前記移動端末機がロッキング解除されるということを知らせるメッセージを表示する段階をさらに含むことを特徴とする請求項８に記載の移動端末機の動作方法。
【請求項１２】
前記動作方法は、
前記移動端末機の動きと、前記ウェアラブルデバイスの動きとの相関関係程度が前記第１閾値よりも大きい場合、前記ウェアラブルデバイスで行われている動作に対応する動作を遂行する段階をさらに含むことを特徴とする請求項８に記載の移動端末機の動作方法。
【請求項１３】
前記動作方法は、
前記移動端末機の動きと、前記ウェアラブルデバイスの動きとの相関関係程度が前記第１閾値よりも大きい場合、前記ウェアラブルデバイスから、前記ウェアラブルデバイスで再生中であるコンテンツ情報を受信する段階と、
前記コンテンツ情報に基づいて、コンテンツを再生する段階と、をさらに含むことを特徴とする請求項８に記載の移動端末機の動作方法。
【発明の詳細な説明】
【技術分野】
【０００１】
本発明は、移動端末機及びその動作方法に関する。
【背景技術】
【０００２】
移動端末機は、携帯が可能であり、音声通話及び映像通話を行うことができる機能、情報を入力または出力することができる機能、及びデータを保存することができる機能などを１以上備えた携帯用機器である。かような移動端末機は、写真や動画の撮影、音楽ファイルや動画ファイルの再生、ゲーム、放送の受信、無線インターネットのような複雑な機能を備え、総合的なマルチメディア機器（multimedia player）形態に具現されている。
【０００３】
また、ユーザの身体に着用可能な多様な種類のウェアラブルデバイス（wearable device）が開発されながら、さらに便利に移動端末機の使用を可能にする技術が要求されている。
【発明の概要】
【発明が解決しようとする課題】
【０００４】
本発明が解決しようとする課題は、携帯用端末機をウェアラブルデバイスと共に使用しつつ、ユーザがさらに便利に移動端末機を使用することができるようにする技術が要求されている。
【課題を解決するための手段】
【０００５】
実施形態は、少なくとも、前述の問題点、短所及び前述のところでは述べられていない他の短所を扱う。また、実施形態は、前述の短所を克服するために要求されるのではなく、前述の問題点のうち一部は克服されないこともある。
【０００６】
本発明は、ユーザが移動端末機の動きと、ウェアラブルデバイスの動きとを利用して、移動端末機の動きと、ウェアラブルデバイスの動きとが同一である場合、移動端末機のロッキングモードを解除する移動端末機、及び移動端末機の動作方法が開示される。
【発明の効果】
【０００７】
移動端末機の動きと、ウェアラブルデバイスの動きとを利用して、ユーザの命令によって多様な動作が遂行される。
【図面の簡単な説明】
【０００８】
【図１】一実施形態による、移動端末機とウェアラブルデバイスとのインタラクションを示す図面である。
【図２】本発明の一実施形態による、移動端末機の動きと、ウェアラブルデバイスの動きとが同一である場合、移動端末機のロッキングモードが解除される動作を示す図面である。
【図３Ａ】本発明の一実施形態による、移動端末機の動作方法を示すフローチャートである。
【図３Ｂ】本発明の一実施形態による、移動端末機がウェアラブルデバイスの動きと、移動端末機の動きとの同一いかんを判断する方法についての説明に参照される図面である。
【図４】本発明の一実施形態による、移動端末機とウェアラブルデバイスとのインタラクションを示すフローチャートである。
【図５】本発明の一実施形態による、移動端末機のロッキング解除動作を遂行するために、移動端末機とウェアラブルデバイスとのインタラクションを示すフローチャートである。
【図６】本発明の一実施形態による、ウェアラブルデバイスの着用いかんによって、ウェアラブルデバイスがロッキングモードになるか、あるいはロッキングモード解除になるかという例を示す図面である。
【図７】本発明の一実施形態による、移動端末機にモーションロッキング解除機能通知メッセージが表示される例を示す図面である。
【図８Ａ】本発明の一実施形態による、移動端末機ユーザとウェアラブルデバイス着用者とが同一である場合、移動端末機のロッキングモードが解除される動作を示す図面である。
【図８Ｂ】本発明の一実施形態による、移動端末機ユーザとウェアラブルデバイス着用者とが同一である場合、移動端末機のロッキングモードが解除される動作を示す図面である。
【図９Ａ】本発明の一実施形態による、移動端末機ユーザとウェアラブルデバイス着用者とが同一である場合、移動端末機のロッキングモードが解除される動作を示す図面である。
【図９Ｂ】本発明の一実施形態による、移動端末機ユーザとウェアラブルデバイス着用者とが同一である場合、移動端末機のロッキングモードが解除される動作を示す図面である。
【図１０】本発明の一実施形態による、ウェアラブルデバイスでユーザ認証がなされた場合、移動端末機でもユーザ認証がなされる方法を示すフローチャートである。
【図１１】図１０の方法について説明するための図面である。
【図１２】本発明の一実施形態による、ウェアラブルデバイスに表示されるウェブページを移動端末機に表示する方法を示すフローチャートである。
【図１３】図１２の方法について説明するための図面である。
【図１４】本発明の一実施形態による、ウェアラブルデバイスが通話連結要請を受信する場合、移動端末機によって通話連結を行う方法を示すフローチャートである。
【図１５】図１４の方法について説明するための図面である。
【図１６】本発明の一実施形態による、ウェアラブルデバイスを利用して、外部デバイスと通話を行っている最中、移動端末機を利用して外部デバイスと通話を行う方法を示すフローチャートである。
【図１７】図１６の方法について説明するための図面である。
【図１８】本発明の一実施形態による、ウェアラブルデバイスが通知メッセージを受信する場合、移動端末機において、通知メッセージに係わるアプリケーションを実行する方法を示すフローチャートである。
【図１９】図１８の方法について説明するための図面である。
【図２０】図１８の方法について説明するための図面である。
【図２１】本発明の一実施形態による、ウェアラブルデバイスがメッセージを受信する場合、移動端末機で受信されたメッセージを表示する方法を示すフローチャートである。
【図２２】図２１の方法について説明するための図面である。
【図２３】本発明の一実施形態による、ウェアラブルデバイスで再生中であるコンテンツを移動端末機で再生する方法を示すフローチャートである。
【図２４】図２３の方法について説明するための図面である。
【図２５】本発明の一実施形態による、ウェアラブルデバイスに表示されるコンテンツを移動端末機で表示する方法を示す図面である。
【図２６】本発明の一実施形態による、ウェアラブルデバイスのデータを移動端末機に伝送する方法を示す図面である。
【図２７】本発明の一実施形態による、移動端末機でセンシングされた生体信号と、ウェアラブルデバイスでセンシングされた生体信号とが同一である場合、移動端末機が既設定の動作を遂行する方法を示すフローチャートである。
【図２８】図２７の説明に参照される図面である。
【図２９】本発明の一実施形態による、移動端末機でセンシングされたタッチパターンと、ウェアラブルデバイスで撮影されたパターンとが同一である場合、移動端末機で既設定の動作を遂行する方法を示すフローチャートである。
【図３０】図２９の方法について説明するための図面である。
【図３１】本発明の一実施形態による移動端末機で撮影されたユーザ映像と、ウェアラブルデバイスで撮影されたユーザ映像とが同一である場合、移動端末機で既設定の動作を遂行する方法を示すフローチャートである。
【図３２】図３１の方法について説明するための図面である。
【図３３】本発明の一実施形態による、移動端末機の動作方法を示すフローチャートである。
【図３４】本発明の一実施形態による、移動端末機と連結されたウェアラブルデバイスが移動端末機ユーザに着用されているか否かということによって、共用モードを個人モードに転換する方法を示すフローチャートである。
【図３５】本発明の一実施形態による、移動端末機と連結されたウェアラブルデバイスが移動端末機ユーザに着用されているか否かということによって、共用モードを個人モードに転換する方法を示すフローチャートである。
【図３６】本発明の一実施形態による、移動端末機と連結されたウェアラブルデバイスが移動端末機ユーザに着用されているか否かということによって、共用モードを個人モードに転換する方法を示すフローチャートである。
【図３７】本発明の一実施形態による、移動端末機と連結されたウェアラブルデバイスが移動端末機ユーザに着用されているか否かということによって、共用モードを個人モードに転換する方法を示すフローチャートである。
【図３８】本発明の一実施形態による、移動端末機の共用モード及び個人モードを示す図面である。
【図３９】本発明の一実施形態による、移動端末機の共用モードでの動作方法を示す図面である。
【図４０】本発明の一実施形態による、移動端末機の個人モードでの動作方法を示す図面である。
【図４１】本発明の一実施形態による、移動端末機の共用モード及び個人モードを示す図面である。
【図４２】本発明の一実施形態による、移動端末機の構成を示すブロック図である。
【図４３】本発明の一実施形態による、移動端末機の構成を示すブロック図である。
【図４４】本発明の一実施形態による、ウェアラブルデバイスの構成について説明するためのブロック図である。
【図４５】本発明の一実施形態による、スマートドアロックとウェアラブルデバイスとのインタラクションを示す図面である。
【図４６】本発明の一実施形態による、移動端末機の動きと、ウェアラブルデバイスの動きとが同一である場合、移動端末機で受信した通知メッセージの詳細情報が表示される方法を示す図面である。
【発明を実施するための形態】
【０００９】
本発明の一実施形態による移動端末機は、移動端末機の動きをセンシングするセンシング部、前記移動端末機が要請した開始時間から所定時間区間（time period）の間にセンシングされた、前記移動端末機に対応するウェアラブルデバイスの動きに係わる情報を、前記ウェアラブルデバイスから受信する通信部、及び前記移動端末機の動きと、前記ウェアラブルデバイスの動きとが所定レベル以上の相関関係（correlation）を有するか否かということを決定し、前記移動端末機の動きと、前記ウェアラブルデバイスの動きとが、前記所定レベル以上の相関関係を有する場合、前記移動端末機をロッキング解除（unlock）する制御部を含んでもよい。
【００１０】
本発明の一実施形態による前記センシング部は、前記ウェアラブルデバイスの動きがセンシングされた時間区間と同一時間区間の間、前記移動端末機の動きをセンシングすることができる。
【００１１】
本発明の一実施形態によるウェアラブルデバイスは、ロッキング解除された状態であることを特徴とする。
【００１２】
本発明の一実施形態による前記制御部は、前記移動端末機の動きと、既設定の動きとが所定レベル以上の相関関係を有するか否かということを決定し、前記通信部は、前記移動端末機の動きと、前記既設定の動きとが、前記所定基準以上の相関関係を有する場合、前記ウェアラブルデバイスから、前記ウェアラブルデバイスの動きに係わる情報を受信することを特徴とする。
【００１３】
本発明の一実施形態による移動端末機は、ディスプレイ部をさらに含み、前記制御部は、前記移動端末機から所定距離範囲内にウェアラブルデバイスが存在することを認識し、前記ディスプレイ部は、前記ウェアラブルデバイスが、前記所定距離範囲内に存在することが認識される場合、前記移動端末機の動きと、前記ウェアラブルデバイスの動きとが同一であるか、あるいは類似しているならば、前記移動端末機がロッキング解除されるということを知らせるメッセージを表示することができる。
【００１４】
本発明の一実施形態による制御部は、前記移動端末機の動きと、前記ウェアラブルデバイスの動きとが、前記所定レベル以上の相関関係を有する場合、前記移動端末機が、前記ウェアラブルデバイスで行われている動作に対応する動作を遂行するように制御することを特徴とする。
【００１５】
本発明の一実施形態による通信部は、前記移動端末機の動きと、前記ウェアラブルデバイスの動きとが、前記所定レベル以上の相関関係を有する場合、前記ウェアラブルデバイスから、前記ウェアラブルデバイスで再生中であるコンテンツ情報を受信し、前記制御部は、前記コンテンツ情報に基づいて、前記移動端末機が、前記コンテンツを再生するように制御することを特徴とする。
【００１６】
本発明の一実施形態による通信部は、前記移動端末機の動きと、前記ウェアラブルデバイスの動きとが、前記所定レベル以上の相関関係を有する場合、前記ウェアラブルデバイスから、前記ウェアラブルデバイスが表示中であるウェブページ情報を受信し、前記移動端末機は、前記ウェブページ情報に基づいて、前記ウェブページを表示するディスプレイ部をさらに含むことを特徴とする。
【００１７】
本発明の一実施形態による通信部は、前記移動端末機の動きと、前記ウェアラブルデバイスの動きとが、前記所定レベル以上の相関関係を有する場合、前記ウェアラブルデバイスから、前記ウェアラブルデバイスで連結中である通話情報を受信し、前記制御部は、前記通話情報に基づいて、前記移動端末機が通話を連結することを制御することを特徴とする。
【００１８】
本発明の一実施形態による通信部は、前記移動端末機の動きと、前記ウェアラブルデバイスの動きとが、前記所定レベル以上の相関関係を有する場合、前記ウェアラブルデバイスから、前記ウェアラブルデバイスが受信したメッセージに対応するアプリケーション情報を受信し、前記制御部は、前記アプリケーション情報に基づいて、前記移動端末機が、前記アプリケーションを実行するように制御することを特徴とする。
【００１９】
本発明の一実施形態による、移動端末機の動作方法は、移動端末機の動きをセンシングする段階、前記移動端末機が要請した開始時間から所定時間区間の間にセンシングされた、前記移動端末機に対応するウェアラブルデバイスの動きに係わる情報を、前記ウェアラブルデバイスから受信する段階、前記移動端末機の動きと、前記ウェアラブルデバイスの動きとが所定レベル以上の相関関係を有するか否かということを決定する段階、及び前記移動端末機の動きと、前記ウェアラブルデバイスの動きとが、前記所定レベル以上の相関関係を有する場合、前記移動端末機をロッキング解除する段階を含んでもよい。
【００２０】
本発明の一実施形態によるセンシングする段階は、前記ウェアラブルデバイスの動きがセンシングされた時間区間と同一時間区間の間、前記移動端末機の動きをセンシングする段階を含んでもよい。
【００２１】
本発明の一実施形態による、移動端末機の動作方法は、前記移動端末機の動きと、既設定の動きとが所定レベル以上の相関関係を有するか否かということを決定する段階をさらに含み、前記受信する段階は、前記移動端末機の動きと、前記既設定の動きとが、前記所定基準以上の相関関係を有する場合、前記ウェアラブルデバイスから、前記ウェアラブルデバイスの動きに係わる情報を受信する段階を含んでもよい。
【００２２】
本発明の一実施形態による、移動端末機の動作方法は、前記移動端末機から所定距離範囲内に、前記ウェアラブルデバイスが存在することを認識する段階、及び前記ウェアラブルデバイスが、前記所定距離範囲内に存在することが認識される場合、前記移動端末機の動きと、前記ウェアラブルデバイスの動きとが同一であるか、あるいは類似しているならば、前記移動端末機がロッキング解除されるということを知らせるメッセージを表示する段階を含んでもよい。
【００２３】
発明の一実施形態による、移動端末機の動作方法は、前記移動端末機の動きと、前記ウェアラブルデバイスの動きとが、前記所定レベル以上の相関関係を有する場合、前記ウェアラブルデバイスで行われている動作に対応する動作を遂行する段階をさらに含むことを特徴とする。
【００２４】
本発明の一実施形態による動作方法は、前記移動端末機の動きと、前記ウェアラブルデバイスの動きとが、前記所定基準以上の相関関係を有する場合、前記ウェアラブルデバイスから、前記ウェアラブルデバイスで再生中であるコンテンツ情報を受信する段階、及び前記コンテンツ情報に基づいて、前記コンテンツを再生する段階をさらに含むことを特徴とする。
【００２５】
本発明の一実施形態による、移動端末機の動作方法は、前記移動端末機の動きと、前記ウェアラブルデバイスの動きとが、前記所定基準以上の相関関係を有する場合、前記ウェアラブルデバイスから、前記ウェアラブルデバイスが表示中であるウェブページ情報を受信する段階、及び前記ウェブページ情報に基づいて、前記ウェブページを表示する段階をさらに含むことを特徴とする。
【００２６】
本発明の一実施形態による、移動端末機の動作方法は、前記移動端末機の動きと、前記ウェアラブルデバイスの動きとが、前記所定レベル以上の相関関係を有する場合、前記ウェアラブルデバイスから、前記ウェアラブルデバイスで連結中である通話情報を受信する段階、及び前記通話情報に基づいて、前記移動端末機が通話を連結する段階をさらに含むことを特徴とする。
【００２７】
本発明の一実施形態による、移動端末機の動作方法は、前記移動端末機の動きと、前記ウェアラブルデバイスの動きとが、前記所定レベル以上の相関関係を有する場合、前記ウェアラブルデバイスから、前記ウェアラブルデバイスが受信したメッセージに対応するアプリケーション情報を受信する段階、及び前記アプリケーション情報に基づいて、前記移動端末機が、前記アプリケーションを実行する段階をさらに含むことを特徴とする。
【００２８】
本発明の一実施形態による移動端末機は、移動端末機をロッキング解除する入力、及び移動端末機の動きをセンシングするセンシング部、前記ユーザ入力がセンシングされれば、前記移動端末機に対応するウェアラブルデバイスに動き情報を要請し、前記移動端末機が要請した開始時間から一定時間区間の間にセンシングされた、前記ウェアラブルデバイスの動き情報を、前記ウェアラブルデバイスから受信する通信部、及び前記センシング部によってセンシングされた前記移動端末機の動き情報と、前記通信部によって受信された前記ウェアラブルデバイスの動き情報とを比較し、前記移動端末機の動き情報と、前記ウェアラブルデバイスの動き情報とが所定基準以上の相関関係がある場合、前記移動端末機のロッキングモードを解除する制御部を含んでもよい。
【００２９】
本発明の一実施形態による、前記ロッキング解除のためのユーザ入力は、ホームボタン入力、電源ボタン入力及び前記移動端末機を把持する入力のうち少なくとも一つを含んでもよい。
【００３０】
本発明の一実施形態による移動端末機は、移動端末機の第１データと、前記移動端末機と連結されたウェアラブルデバイスの第２データとが所定レベル以上の相関関係を有するか否かということを決定する制御部を含み、第１データ及び第２データは、同一種類のデータであり、前記第１データ及び第２データは、同一時間区間の間に獲得され、前記制御部は、前記第１データ及び第２データが所定レベル以上の相関関係を有する場合、ウェアラブルデバイスで行われている動作に対応する動作を遂行することができる。
【００３１】
一実施形態による移動端末機は、移動端末機のユーザの生体信号を第１データとして感知するセンシング部、及びウェアラブルデバイスから、ウェアラブルデバイスユーザの生体信号に係わる情報を第２データとして受信する通信部をさらに含んでもよい。
【００３２】
一実施形態による移動端末機は、移動端末機でのタッチパターンを第１データとして感知するセンシング部、及びウェアラブルデバイスから、ウェアラブルデバイスが撮影した移動端末機でのタッチパターンに係わる情報を第２データとして受信する通信部をさらに含んでもよい。
【００３３】
一実施形態による移動端末機は、移動端末機ユーザの映像を第１データとして撮影するカメラ、及びウェアラブルデバイスから、ウェアラブルデバイスユーザの映像を第２データとして受信する通信部をさらに含んでもよい。
【００３４】
一実施形態による遂行される動作は、移動端末機のロッキング解除、移動端末機ユーザ認証、ウェブページの表示、電話連結、アプリケーション実行、メッセージ表示、コンテンツ再生、及び移動端末機の共用モードから個人モードへの転換のうち少なくとも一つを含んでもよい。
【００３５】
実施形態は、添付された図面を参照し、さらに具体的に記述される。
【００３６】
次の説明において、他の図面でも、同じ図面参照番号は、同じ要素（element）に利用される。詳細な構造（construction）及び要素のように、説明で定義された事案（matters）は、実施形態の理解の一助とするために提供される。しかし、該実施形態は、特別に定義された事案なしに遂行されるということは明白である。また、周知の機能や構成は、不必要な詳細な説明において、説明を曖昧にさせるために、詳細に説明しない。
【００３７】
本文書で利用される「含む」及び／または「含むところの」の用語は、言及された特徴または構成要素の存在を具体化し、１以上の他の特徴または構成要素の追加または存在を不可能にさせないと理解されるであろう。また、明細書に記載された「部」、「モジュール」のような用語は、少なくとも１つの機能または動作を遂行する要素を意味し、ハードウェア、ソフトウェア、またはハードウェアとソフトウェアとの結合によっても具現される。
【００３８】
ここで使用された「及び／または」の用語は、羅列された項目の１以上の組み合わせの一部または全体を含む。「少なくとも一つ」のような表現が、構成要素のリストの前に先行されれば、構成要素の全体リストを限定し、リストの個別的な構成要素を限定するものではない。
【００３９】
図１は、一実施形態による、移動端末機とウェアラブルデバイスとのインタラクションを示す図面である。
【００４０】
本発明の一実施形態による移動端末機１００は、多様な形態に具現される。例えば、移動端末機１００は、携帯電話、スマートフォン（smart phone）、ノート型パソコン（laptop computer）、タブレットＰＣ（personal computer）、電子書籍端末機、デジタル放送用端末機、ＰＤＡ（personal digital assistant）、ＰＭＰ（portable multimedia player）、ナビゲーション、ＭＰ３プレイヤ、デジタルカメラ、ＩＰＴＶ（internet protocol television）、ＤＴＶ（digital television）、ＣＥ機器（例えば、ディスプレイ装置を有する冷蔵庫、エアコン）でもあるが、それらに限定されるものではない。
【００４１】
また、本発明の一実施形態によるウェアラブルデバイス（２００）は、ユーザの手首に着用することができる時計、バンド、腕輪などを含んでもよいが、それらに限定されるものではなく、メガネ、ヘルメット、帽子、指輪、履き物、イヤリング、ヘアバンド、服、手袋、指ぬきなどを含んでもよい。
【００４２】
本発明の一実施形態による、移動端末機１００とウェアラブルデバイス２００は、互いに通信を行うことができる。例えば、移動端末機１００は、近距離通信を利用して、ウェアラブルデバイス２００とデータなどを送信したり受信したりすることができる。このとき、近距離通信は、Ｗｉ−Ｆｉ（wireless fidelity）方式、ＮＦＣ（near field communication）方式、ブルートゥース（登録商標、以下同じ）（Bluetooth（登録商標））方式、赤外線方式、ジグビー（Zigbee）方式などを含んでもよいが、それらに限定されるものではない。
【００４３】
また、本発明の一実施形態によるウェアラブルデバイス２００は、移動端末機１００に、ウェアラブルデバイス２００のユーザ認証情報またはデバイス識別情報を伝送し、移動端末機１００は、ウェアラブルデバイス２００に、ユーザ認証情報または端末機識別情報を伝送することができる。
このとき、ユーザ認証情報は、ユーザＩＤ（identification）、ユーザパスワード、ユーザアカウントなどを含んでもよい。また、デバイス識別情報または端末機識別情報は、デバイスを他のデバイスと区別するための固有情報であり、例えば、デバイスモデル、デバイスシリアル番号などを含んでもよい。
【００４４】
また、移動端末機１００は、ウェアラブルデバイス２００のユーザ識別情報またはデバイス識別情報を保存し、ウェアラブルデバイス２００を移動端末機１００に登録することができる。
【００４５】
また、本発明の一実施形態によるウェアラブルデバイス２００は、一方向にデバイス識別情報のみを周期的に伝送することができ、ＢＬＥ（Bluetooth low energy）通信を介して、識別情報を外部にブロードキャスティングすることができる。
【００４６】
一方、移動端末機１００は、受信した識別情報に基づいて、移動端末機１００周辺に存在するウェアラブルデバイス２００の存在を認識することができる。また、ウェアラブルデバイス２００も、受信した識別情報に基づいて、ウェアラブルデバイス２００周辺に存在する移動端末機１００の存在を認識することができる。
【００４７】
また、移動端末機１００は、認識されたウェアラブルデバイス２００のユーザ識別情報またはデバイス識別情報を、登録されたウェアラブルデバイスのユーザ識別情報またはデバイス識別情報と比較し、認識されたウェアラブルデバイスが移動端末機に連結されたウェアラブルデバイスであるか否かということを判断することができる。このとき、ウェアラブルデバイスが移動端末機に連結されているということは、ウェアラブルデバイスが移動端末機に登録されているということを意味する。
【００４８】
また、本発明の一実施形態による移動端末機１００は、移動端末機１００の動きをセンシングし、移動端末機１００の動き情報を獲得することができる。
【００４９】
このとき、移動端末機１００の動き情報は、地磁気センサ、位置センサ、加速度センサ、近接センサ、ジャイロスコープセンサなどを利用して、移動端末機１００の動きをセンシングした値、例えば、移動端末機１００が動く方向値、速度値、加速度値などを含んでもよいが、それらに限定されるものではない。
【００５０】
また、本発明の一実施形態によるウェアラブルデバイス２００は、ウェアラブルデバイス２００の動きをセンシングすることができる。例えば、ウェアラブルデバイス２００は、地磁気センサ、位置センサ、加速度センサ、近接センサ、ジャイロスコープセンサなどを利用して、ウェアラブルデバイス２００の動きをセンシングし、ウェアラブルデバイス２００が動く方向値、速度値、加速度値などを含むウェアラブルデバイス２００の動き情報を獲得することができる。
【００５１】
また、本発明の一実施形態による移動端末機１００は、移動端末機１００に対するタッチ入力をセンシングすることができる。また、移動端末機１００は、移動端末機１００ユーザの生体信号をセンシングすることができる。また、移動端末機１００は、移動端末機周辺に存在する外部デバイス（例えば、ウェアラブルデバイス２００）から伝送される多様な信号をセンシングすることができる。これについては、詳細に後述する。
【００５２】
また、本発明の一実施形態によるウェアラブルデバイス２００は、カメラを含み、イメージを撮影することができる。また、ウェアラブルデバイス２００は、ウェアラブルデバイス２００着用者の生体信号をセンシングすることができる。また、ウェアラブルデバイス２００は、ウェアラブルデバイス２００周辺に存在する外部デバイス（例えば、移動端末機１００）から伝送される多様な信号をセンシングすることができる。これについては、詳細に後述する。
【００５３】
また、本発明の一実施形態によるウェアラブルデバイス２００は、ウェアラブルデバイス２００でセンシングされた情報を、ウェアラブルデバイス２００と連結された移動端末機１００に伝送することができる。
【００５４】
例えば、ウェアラブルデバイス２００でセンシングされたウェアラブルデバイス２００の動き情報を、ウェアラブルデバイス２００と連結された移動端末機１００に伝送することができる。
【００５５】
または、ウェアラブルデバイス２００は、ウェアラブルデバイス２００着用者の生体信号情報、ウェアラブルデバイス２００で撮影されたイメージ情報、ウェアラブルデバイス２００でセンシングされた外部デバイスの信号情報を、ウェアラブルデバイス２００と連結された移動端末機１００に伝送することができる。
【００５６】
それにより、本発明の一実施形態による移動端末機１００は、移動端末機１００でセンシングされた情報と、ウェアラブルデバイス２００でセンシングされた情報とを比較し、移動端末機１００でセンシングされた情報と、ウェアラブルデバイス２００でセンシングされた情報とが同一である場合、既設定の動作を遂行することができる。
【００５７】
また、移動端末機１００は、移動端末機１００でセンシングされた情報と、ウェアラブルデバイス２００でセンシングされた情報とが同一である場合、移動端末機１００ユーザがウェアラブルデバイス２００を着用していると判断することができる。
【００５８】
また、該既設定の動作は、ウェアラブルデバイス２００で遂行されている動作に係わる動作でもある。例えば、ウェアラブルデバイス２００のロッキングモードが解除された状態である場合、移動端末機１００のロッキングモードが解除される。ウェアラブルデバイス２００がウェブページを表示している場合、移動端末機１００は、同一ウェブページを表示することができる。または、ウェアラブルデバイス２００がコンテンツを再生している場合、移動端末機１００は、同一コンテンツを続けて再生させることができる。または、ウェアラブルデバイス２００が通話連結要請を受信した場合、移動端末機１００は、通話連結を行うことができる。または、ウェアラブルデバイス２００が通知メッセージを受信した場合、移動端末機１００は、通知メッセージに係わるアプリケーションを実行することができる。ただし、それらに限定されるものではなく、多様な動作が遂行される。
【００５９】
図２は、本発明の一実施形態による、移動端末機の動きと、ウェアラブルデバイスの動きとが同一である場合、移動端末機のロッキングモードが解除される動作を示す図面である。
【００６０】
図２は、移動端末機１００ユーザが移動端末機１００を手に取り、ウェアラブルデバイス２００を前記ユーザの手首に着用した状態を示している。図２では、ウェアラブルデバイス２００が手首に着用することができる時計として構成されることを図示しているが、それに限定されるものではない。
【００６１】
図２に図示されているように、移動端末機１００ユーザが移動端末機１００を手に取り、ウェアラブルデバイス２００を前記ユーザの手首（移動端末機１００を持っている手の手首）に着用した状態で、移動端末機１００を持った手を動かす場合、移動端末機の動きと、ウェアラブルデバイスの動きとは、同一である。
【００６２】
移動端末機１００の動きと、ウェアラブルデバイスの動きとが同一であるという意味は、移動端末機１００及びウェアラブルデバイス２００の動き情報（例えば、前記移動端末機及びウェアラブルデバイスの動き方向、大きさ、速度、動きパターンなど）が同一であるか、あるいは移動端末機１００の動き情報と、ウェアラブルデバイス２００の動き情報との差が所定範囲内にあるということを意味する。
【００６３】
例えば、移動端末機１００の動きパターンと、ウェアラブルデバイス２００の動きパターンは、同一である。図２に図示されているように、ユーザがウェアラブルデバイス２００を着用した手に移動端末機１００を持って上げる場合、移動端末機１００の動きパターン（第１モーションパターンｍ１）は、反時計回り方向に所定角度回転する動きパターンを示すことができる。
【００６４】
また、ウェアラブルデバイス２００でセンシングされたウェアラブルデバイス２００の動き（第２モーションｍ２）も、反時計回り方向に所定角度回転する動きパターンを示すことができる。
【００６５】
また、本発明の一実施形態による移動端末機１００は、移動端末機１００の動きと、ウェアラブルデバイス２００の動きとが同一であり、ウェアラブルデバイス２００が所定の認証過程を介して、ロッキングモードが解除された状態である場合、移動端末機１００のロッキングモードを解除することができる。
【００６６】
例えば、ウェアラブルデバイス２００がロッキングモード解除状態である場合、ウェアラブルデバイス２００は、移動端末機１００に、ロッキングモード解除状態であるということを知らせる信号を、移動端末機１００に伝送することができる。また、ウェアラブルデバイス１００は、ウェアラブルデバイス１００の動き情報を、移動端末機１００に伝送することができる。
【００６７】
しかし、それらに限定されるものではなく、本発明の一実施形態によれば、ウェアラブルデバイス２００のロッキング解除状態に係わりなく、移動端末機１００は、移動端末機１００の動き情報と、ウェアラブルデバイス２００の動き情報とが同一であれば、移動端末機１００のロッキングモードを解除することができる。
【００６８】
図２では、ウェアラブルデバイス２００のロッキングモードが解除された状態を示すために、ウェアラブルデバイス２００のディスプレイ部が活性化された状態を図示している。しかし、それに限定されるものではなく、ウェアラブルデバイス２００のディスプレイ部が非活性化された状態（ディスプレイ部がオフ（off）になった状態）でもある。図２では、ユーザの手を基準に、ウェアラブルデバイス２００と移動端末機１００とのディスプレイ部が同一方向に位置するように図示されているが、移動端末機１００のディスプレイ部と、ウェアラブルデバイス２００のディスプレイ部は、ユーザの手を基準に、反対方向にも位置することができる。
【００６９】
それにより、移動端末機１００でセンシングされた第１モーションパターンｍ１と、ウェアラブルデバイス２００でセンシングされた第２モーションパターンｍ２とが同一動きパターンを示す場合、移動端末機１００は、第１モーション及び第２モーションが同一であると判断することができ、移動端末機１００は、移動端末機１００ユーザと、ウェアラブルデバイス２００着用者とが同一ユーザであると判断することができる。
【００７０】
それにより、本発明の一実施形態による移動端末機１００は、移動端末機１００の第１モーションパターンと、ウェアラブルデバイス２００の第２モーションパターンとを比較することにより、移動端末機１００ユーザがウェアラブルデバイス２００を着用しているか否かということを判断することができる。
【００７１】
また、本発明の一実施形態による移動端末機１００は、移動端末機１００の動き情報と、ウェアラブルデバイス２００の動き情報とが同一であり、ウェアラブルデバイス２００が所定の認証過程を介して、ロッキングモードが解除された状態である場合、移動端末機１００のロッキングモードを解除することができる。例えば、図２に図示されているように、非活性化状態である移動端末機１００のディスプレイ部に、ホームスクリーンを表示することができる。
【００７２】
すなわち、ユーザは、移動端末機のロッキングモードを解除させるために、移動端末機１００に直接暗号を入力する必要なしに、動きだけでもって、移動端末機１００をロッキング解除して使用することができる。
【００７３】
図３Ａは、本発明の一実施形態による、移動端末機の動作方法を示すフローチャートであり、図３Ｂは、本発明の一実施形態による、移動端末機がウェアラブルデバイスの動きと、移動端末機の動きとの同一いかんを判断する方法についての説明に参照される図面である。
【００７４】
本発明の一実施形態による移動端末機１００は、移動端末機１００の動きをセンシングし、移動端末機の動き情報を獲得することができる（Ｓ３１０）。
【００７５】
例えば、移動端末機１００は、地磁気センサ、位置センサ、加速度センサ、近接センサ、ジャイロスコープセンサなどを利用して、移動端末機１００が動く方向、速度、速度の変化などを測定し、移動端末機１００の動きをセンシングすることができる。
【００７６】
移動端末機１００は、移動端末機１００と連結されたウェアラブルデバイス２００から、ウェアラブルデバイス２００でセンシングされたウェアラブルデバイスの動き情報を受信することができる（Ｓ３２０）。
【００７７】
例えば、移動端末機１００と連結されたウェアラブルデバイス２００は、地磁気センサ、位置センサ、加速度センサ、近接センサ、ジャイロスコープセンサなどを利用して、ウェアラブルデバイス２００が動く方向、速度、速度の変化などを測定し、ウェアラブルデバイス２００の動きをセンシングすることができる。
【００７８】
移動端末機１００は、ウェアラブルデバイスの動き情報に係わる時間情報を共に受信することができる。
【００７９】
また、移動端末機１００は、ウェアラブルデバイス２００に動き情報を要請することができ、ウェアラブルデバイス２００は、ウェアラブルデバイス２００でセンシングされたウェアラブルデバイス２００の動き情報を、移動端末機１００に伝送することができる。
【００８０】
移動端末機１００は、移動端末機１００の動きと、ウェアラブルデバイス２００の動きとが同一であるか否かということを判断することができる（Ｓ３３０）。
【００８１】
このとき、移動端末機１００の動きと、ウェアラブルデバイスの動きとが同一であるという意味は、物理的に完全に同一であるということを意味するものではなく、移動端末機１００の動き情報（例えば、移動端末機１００の動き方向、大きさ、速度など）と、ウェアラブルデバイス２００の動き情報（例えば、ウェアラブルデバイス２００の動き方向、大きさ、速度など）とが所定範囲内で一致することを意味する。
【００８２】
また、移動端末機１００の動きと、ウェアラブルデバイス２００の動きとが同一であるという意味は、移動端末機の動き情報と、ウェアラブルデバイスの動き情報とが所定基準以上の相関関係があるということを意味する。
【００８３】
移動端末機１００は、ウェアラブルデバイス２００の動き情報に係わる時間情報に基づいて、同一時間にセンシングされた移動端末機１００の動き情報と、ウェアラブルデバイス２００の動き情報とを比較することができる。
以下、図３Ｂを参照し、詳細に説明する。
【００８４】
図３Ｂを参照すれば、ウェアラブルデバイス２００でセンシングされた時間による加速度値は、第１グラフ３１０として示され、このとき、第１グラフ３１０は、ウェアラブルデバイス２００の座標系３１５に基づいて生成されたグラフでもある。
【００８５】
また、移動端末機１００でセンシングされた時間による加速度値は、第２グラフ３２０として示され、このとき、第２グラフ３２０は、移動端末機１００の座標系３２５に基づいて生成されたグラフでもある。
【００８６】
一方、ウェアラブルデバイス２００の座標系３１５と、移動端末機１００の座標系３２５は、異なるので、ウェアラブルデバイス２００の加速度値、及び移動端末機１００の加速度値を同一座標系に変換する過程が必要である。
【００８７】
例えば、ウェアラブルデバイス２００は、地磁気センサを利用して、ウェアラブルデバイス２００の座標系３１５での加速度値を、基準座標系３３５での加速度値に変換し、変換した加速度値を基に、第３グラフ３４０を生成することができる。または、移動端末機１００が、ウェアラブルデバイス２００の加速度センサによってセンシングされた加速度値、地磁気センサによってセンシングされた地磁気値を受信し、第１グラフ３１０を第３グラフ３４０に変換することができる。また、移動端末機１００は、地磁気センサを利用して、移動端末機の座標系３２５での加速度値を、基準座標系３３５での加速度値に変換することができ、変換された加速度値に基づいて、第４グラフ３５０を生成することができる。
【００８８】
ここで、基準座標系３３５は、デバイスの種類に独立して適用される座標系を意味する。例えば、基準座標系は、３つの軸（Ｘ軸、Ｙ軸、Ｚ軸）を含んでもよく、ユーザを基準に、Ｘ軸は、ユーザを前後に通る基準軸であり、Ｙ軸は、ユーザを左右に通る基準軸であり、Ｚ軸は、ユーザを上下に通る基準でもあり、Ｘ軸、Ｙ軸及びＺ軸は、垂直をなすことができる。ただし、それに限定されるものではない。
【００８９】
移動端末機１００は、同一基準座標系３３５に示される第３グラフ３４０及び第４グラフ３５０の一定時間区間３６０に係わる加速度値を比較することにより、移動端末機１００の動きと、ウェアラブルデバイス２００の動きとが同一であるか否かということを判断することができる。
【００９０】
例えば、移動端末機１００は、一定時間区間３６０でのウェアラブルデバイス２００の加速度値と、移動端末機１００の加速度値との差が既設定の値以下である場合、移動端末機の動き情報（例えば、移動端末機の加速度値）と、ウェアラブルデバイスの動き情報（例えば、ウェアラブルデバイスの加速度値）とが所定基準以上の相関関係があると決定することができる。すなわち、移動端末機１００は、移動端末機１００の動きと、ウェアラブルデバイス２００の動きとが同一であると決定することができる。
【００９１】
また、移動端末機１００は、ウェアラブルデバイス２００の種類（すなわち、ウェアラブルデバイスの種類によって、着用状態、位置が異なるために、前記ウェアラブルデバイスの動き情報がウェアラブルデバイスの種類によって異なる）によって、前記ウェアラブルデバイスから受信された動き情報を既設定の比率で拡大または縮小し、拡大または縮小されたウェアラブルデバイスの動き情報を移動端末機の動き情報と比較し、動きの同一いかんを判断することができる。
【００９２】
例えば、ウェアラブルデバイス２００がスマートウォッチである場合、移動端末機１００を手にした位置と、スマートウォッチを着用した位置とが約５ｃｍほど離れており、このとき、スマートウォッチの動き情報は、前記離れた距離（５ｃｍ）を考慮し、既設定の比率で拡大することができる。
【００９３】
再び、図３Ａを参照すれば、移動端末機１００は、移動端末機１００の動きと、ウェアラブルデバイス２００の動きとが同一であるか、あるいは類似している場合、移動端末機１００のロッキングを解除することができる（Ｓ３４０）。
【００９４】
移動端末機１００のロッキング解除状態は、移動端末機１００のディスプレイ部に、ホームスクリーンが表示される状態でもある。または、移動端末機１００のディスプレイ部に、移動端末機１００にインストールされたアプリケーションメニューが表示され、当該アプリケーションメニューを選択すれば、選択されたアプリケーションを実行することができる状態を意味する。ただし、それに限定されるものではない。
【００９５】
図４は、本発明の一実施形態による、移動端末機とウェアラブルデバイスとのインタラクションを示すフローチャートである。
【００９６】
図４を参照すれば、本発明の一実施形態によるウェアラブルデバイス２００は、ロッキングモードが解除された状態でもある（Ｓ４１０）。
【００９７】
例えば、ウェアラブルデバイス２００のロッキングモードが解除された状態は、ウェアラブルデバイス２００のディスプレイ部に、ホームスクリーンが表示される状態でもある。または、ウェアラブルデバイス２００のディスプレイ部に、ウェアラブルデバイス２００にインストールされたアプリケーションメニューが表示され、当該アプリケーションメニューを選択すれば、選択されたアプリケーションを実行することができる状態を意味する。
【００９８】
ウェアラブルデバイス２００のロッキングモード状態は、ウェアラブルデバイス２００のディスプレイ部が非活性化された状態でもある。または、ウェアラブルデバイス２００が時計で構成される場合、ディスプレイ部に、時間情報だけ表示される状態でもある。または、ウェアラブルデバイスにインストールされたアプリケーションのうち一部アプリケーションメニューだけ表示され、表示されていないアプリケーションは、実行させることができない状態でもある。
【００９９】
一方、本発明の一実施形態によるウェアラブルデバイス２００は、既設定の距離範囲内に存在する移動端末機１００に識別情報を伝送することができる（Ｓ４２０）。
【０１００】
例えば、移動端末機１００とウェアラブルデバイス２００とが、既設定の距離範囲内に存在する場合、移動端末機１００とウェアラブルデバイス２００は、近距離通信を利用して、互いにユーザ識別情報またはデバイス識別情報を送受信することができる。
【０１０１】
移動端末機１００は、移動端末機１００から、既設定の距離範囲内に存在するウェアラブルデバイス２００を認識することができる（Ｓ４３０）。
【０１０２】
移動端末機１００は、認識されたウェアラブルデバイス２００が、移動端末機１００と連結されたウェアラブルデバイスであるか否かということを判断することができる（Ｓ４４０）。
【０１０３】
例えば、移動端末機１００は、ウェアラブルデバイス２００から受信した識別情報を、移動端末機１００に登録されたウェアラブルデバイス２００の識別情報と比較し、認識されたウェアラブルデバイス２００が、移動端末機１００に連結されたウェアラブルデバイス２００であるか否かということを判断することができる。
【０１０４】
移動端末機１００は、認識されたウェアラブルデバイスが移動端末機に連結されたウェアラブルデバイスである場合、移動端末機１００の動きをセンシングし、動き情報を獲得することができる（Ｓ４５０）。
【０１０５】
例えば、移動端末機１００は、地磁気センサ、位置センサ、加速度センサ、近接センサ、ジャイロスコープセンサなどを利用して、移動端末機１００が動く方向、速度、速度の変化などを測定することができる。
【０１０６】
図４の４５０段階（Ｓ４５０）は、図３の３１０段階（Ｓ３１０）に対応するので、具体的な説明は省略する。
【０１０７】
一方、ウェアラブルデバイス２００は、ウェアラブルデバイス２００の動きをセンシングし、動き情報を獲得することができる（Ｓ４５５）。このとき、ウェアラブルデバイス２００は、移動端末機１００が移動端末機１００の動きをセンシングする段階（Ｓ４５０）と同一時間に、ウェアラブルデバイス２００の動きをセンシングすることができる。
【０１０８】
例えば、ウェアラブルデバイス２００は、地磁気センサ、位置センサ、加速度センサ、近接センサ、ジャイロスコープセンサなどを利用して、ウェアラブルデバイス２００が動く方向、速度、速度の変化などを測定することができる。
【０１０９】
一方、移動端末機１００は、ウェアラブルデバイス２００に、ウェアラブルデバイス２００の動き情報を要請することができる（Ｓ４６０）。
【０１１０】
移動端末機１００は、時間範囲を設定し、動き情報を要請することができる。移動端末機１００は、動き情報の開始時間、終了時間を設定し、ウェアラブルデバイス２００の動き情報を要請することができる。例えば、移動端末機１００が、移動端末機１００において、第１時間から第２時間までセンシングされた動き情報を、ウェアラブルデバイス２００の動き情報と比較する場合、ウェアラブルデバイス２００に、第１時間から第２時間までのウェアラブルデバイス２００でセンシングされた動き情報を要請することができる。
【０１１１】
ウェアラブルデバイス２００は、ウェアラブルデバイス２００でセンシングされたウェアラブルデバイス２００の動き情報を、移動端末機１００に伝送することができる（Ｓ４７０）。
【０１１２】
また、移動端末機１００とウェアラブルデバイス２００は、事前に時間範囲を設定することができ、移動端末機１００は、動き情報の開始時間をウェアラブルデバイス２００に伝送し、前記ウェアラブルデバイス２００は、前記受信された開始時間から既設定の時間範囲に該当する動き情報を、前記移動端末機１００に伝送することができる。
【０１１３】
例えば、既設定の時間範囲が１００ｍｓである場合、開始時間情報（１３：３０：５０．１０）をウェアラブルデバイスに伝送すれば、前記ウェアラブルデバイスは、受信された開始時間情報（１３：３０：５０．１０）から１００ｍｓ内の動き情報をセンシングし、移動端末機に伝送することができる。
【０１１４】
図４の４７０段階（Ｓ４７０）は、図３の３２０段階（Ｓ３２０）に対応するので、具体的な説明は省略する。
【０１１５】
移動端末機１００は、移動端末機１００の動きと、受信したウェアラブルデバイス２００の動きとを比較し、移動端末機１００の動きと、ウェアラブルデバイス２００の動きとが同一であるか否かということを判断することができる（Ｓ４８０）。
【０１１６】
図４の４８０段階（Ｓ４８０）は、図３の３３０段階（Ｓ３３０）に対応するので、具体的な説明は省略する。
【０１１７】
移動端末機１００は、移動端末機１００の動きと、ウェアラブルデバイス２００の動きとが同一であるか、あるいは類似していると判断される場合、移動端末機１００のロッキングモードを解除することができる（Ｓ４９０）。
【０１１８】
図４の４９０段階（Ｓ４９０）は、図３の３４０段階（Ｓ３４０）に対応するので、具体的な説明は省略する。
【０１１９】
図５は、本発明の一実施形態による、移動端末機のロッキングモード解除動作を遂行するために、移動端末機とウェアラブルデバイスとのインタラクションを示すフローチャートである。
【０１２０】
図５の５１０段階（Ｓ５１０）ないし５５５段階（Ｓ５５５）は、図４の４１０段階（Ｓ４１０）ないし４５５段階（Ｓ４５５）に対応するので、具体的な説明は省略する。
【０１２１】
図５を参照すれば、移動端末機１００は、センシングされた移動端末機１００の動きが既設定の動きと同一であるか否かということ（例えば、移動端末機１００のセンシングされた動きが、既設定の動きと既設定のレベル以上の相関関係を有するか否かということ）を判断することができる（Ｓ５６０）。
【０１２２】
例えば、既設定の動きは、移動端末機１００を手にして持ち上げる動き、移動端末機１００を左右に振る動き、移動端末機１００を上下に振る動き、移動端末機１００を右側に移動させる動き、移動端末機１００を左側に移動させる動き、移動端末機１００を上に移動させる動きなどでもある。ただし、それらに限定されるものではない。
【０１２３】
移動端末機１００でセンシングされた移動端末機１００の動きが既設定の動きと同一である場合、移動端末機１００は、ウェアラブルデバイス２００に、ウェアラブルデバイス２００でセンシングされたウェアラブルデバイス２００のモーション情報を要請することができる（Ｓ５６５）。
【０１２４】
図５の５７０段階（Ｓ５７０）ないし５９０段階（Ｓ５９０）は、図４の４７０段階（Ｓ４７０）ないし４９０段階（Ｓ４９０）に対応するので、具体的な説明は省略する。
【０１２５】
図６は、一実施形態による、ユーザのウェアラブルデバイスの着用いかんによって、ロッキングモードになるか、あるいはロッキングモード解除になるかという例を示す図面である。
【０１２６】
図６では、ウェアラブルデバイス２００が時計である場合を図示しているが、それに限定されるものではなく、本発明の一実施形態によるウェアラブルデバイス２００は、バンド、腕輪、メガネ、ヘルメット、帽子、指輪、履き物、イヤリング、ヘアバンド、服、手袋、指ぬきなどを含んでもよい。
【０１２７】
本発明の一実施形態によるウェアラブルデバイス２００は、着用いかんによって、ロッキング解除される。例えば、ウェアラブルデバイス２００の着用いかんを感知し、ウェアラブルデバイス２００がユーザに着用された状態である場合、ウェアラブルデバイス２００は、ロッキングモードにもなる。
【０１２８】
一方、ウェアラブルデバイス２００がユーザに着用されていない状態である場合、ウェアラブルデバイス２００は、ロッキングモードが解除される。
【０１２９】
例えば、図６に図示されているように、ウェアラブルデバイス２００が時計で構成される場合、時計バックルの結合いかんによって、着用状態を感知することができる。このとき、ウェアラブルデバイス２００は、圧力センサなどを利用して、時計バックルの結合状態を感知し、時計バックルが結合された場合、ユーザに着用された状態であると認識することができる。一方、時計バックルが結合されていない場合、ユーザに着用されていない状態であると認識することができる。
【０１３０】
または、ウェアラブルデバイス２００は、接地センサを利用して、ウェアラブルデバイス２００の着用状態を感知することができる。例えば、図６に図示されているように、ウェアラブルデバイス２００が時計で構成される場合、時計バンドに接地センサを含め、時計バンドがユーザの手首に触れれば、ウェアラブルデバイス２００がユーザに着用された状態であるということを認識することができる。
【０１３１】
また、ウェアラブルデバイス２００がメガネで構成される場合、メガネつるの終端部分または鼻パッド（nose pad）に接地センサを含め、ユーザがメガネを着用し、メガネがユーザの耳または鼻に触れれば、ウェアラブルデバイスがユーザに着用された状態であるということを認識することができる。
【０１３２】
また、ウェアラブルデバイス２００が指輪で構成される場合、指輪の内側部分に接地センサを含め、ユーザが指輪を着用して指に触れれば、ウェアラブルデバイス２００がユーザに着用された状態であるということを認識することができる。
【０１３３】
例えば、図６（ａ）に図示されているように、ユーザがウェアラブルデバイス２００（例えば、時計）を着用していない場合、ウェアラブルデバイス２００は、ロッキングモードで動作することができる。また、図６（ｂ）に図示されているように、ユーザがウェアラブルデバイス２００を着用した場合、ウェアラブルデバイス２００は、ロッキングモードが解除される。ウェアラブルデバイス２００のロッキングモードは、移動端末機１００のロッキングモードと類似しており、ロッキングモード解除は、移動端末機１００のロッキングモード解除状態と類似しているが、それに限定されるものではない。
【０１３４】
図６（ａ）を参照すれば、ウェアラブルデバイス２００がロッキングモードで動作する場合、ウェアラブルデバイス２００のディスプレイ部に、時間や天気のように簡単な情報だけ表示される。
【０１３５】
一方、図６（ｂ）を参照すれば、ウェアラブルデバイス２００のロッキングモードが解除された場合、ウェアラブルデバイス２００のディスプレイ部に、ホームスクリーンが表示される。または、ウェアラブルデバイス２００のディスプレイ部に、ウェアラブルデバイス２００にインストールされたアプリケーションメニューが表示され、当該アプリケーションメニューを選択すれば、選択されたアプリケーションが実行される。ただし、それに限定されるものではない。
【０１３６】
図７は、本発明の一実施形態による、移動端末機にモーション解除機能通知メッセージが表示される例を示す図面である。
【０１３７】
図７を参照すれば、本発明の一実施形態による移動端末機１００は、移動端末機１００と連結されたウェアラブルデバイス２００が既設定の範囲内に存在すると判断される場合、モーション解除機能通知メッセージを表示することができる。
【０１３８】
例えば、移動端末機１００は、近距離通信などを利用して、周辺に存在するウェアラブルデバイスを認識し、認識されたウェアラブルデバイスが、移動端末機と連結されたデバイスであるか否かということを判断することができる。このとき、認識されたウェアラブルデバイスが、移動端末機と連結されたデバイスであり、ウェアラブルデバイス２００のロッキングモードが解除された場合、移動端末機１００は、モーション解除機能通知メッセージ７２０を表示することができる。
【０１３９】
モーション解除機能通知メッセージ７２０は、移動端末機１００、及び移動端末機と連結されたウェアラブルデバイス２００で、同一動きがセンシングされる場合、移動端末機１００のロッキングモードが解除されるということを知らせるメッセージでもある。
【０１４０】
または、モーション解除機能通知メッセージ７２０は、既設定のモーションを表示し、既設定のモーションを遂行する場合、移動端末機のロッキングモードが解除されるということを知らせるメッセージでもある。
【０１４１】
例えば、モーション解除機能通知メッセージ７２０は、図７に図示されているように、ポップアップウィンドウに、テキストやイメージでも表示されるが、それらに限定されるものではなく、音声によっても出力される。それにより、ユーザは、移動端末機１００と連結されたウェアラブルデバイス２００と、移動端末機１００とを共に着用している場合、同一動きがセンシングされれば、移動端末機１００のロッキングモードを解除することができるということを容易に把握することができる。
【０１４２】
図８Ａないし図９Ｂは、本発明の一実施形態による、移動端末機ユーザとウェアラブルデバイス着用者とが同一である場合、移動端末機のロッキングモードが解除される動作を示す図面である。
【０１４３】
図８Ａないし図９Ｂは、移動端末機１００ユーザが移動端末機１００を手に取り、ウェアラブルデバイス２００を手首に着用した状態を示している。図８Ａないし図９Ｂでは、ウェアラブルデバイス２００が手首に着用することができる時計として構成されることを図示しているが、それに限定されるものではない。
【０１４４】
本発明の一実施形態による移動端末機１００は、移動端末機１００の動きをセンシングすることができ、本発明の一実施形態によるウェアラブルデバイス２００は、ウェアラブルデバイス２００の動きをセンシングすることができる。
【０１４５】
例えば、図８Ａ、図８Ｂ、図９Ａ及び図９Ｂに図示されているように、ユーザが移動端末機１００を手にして持ち上げる場合（移動端末機１００を持った手を、反時計回り方向に一定角度回転させる場合）、移動端末機１００は、移動端末機１００が動いた方向、移動端末機１００の移動距離、移動端末機１００の回転角度、移動前後のウェアラブルデバイス２００との距離などをセンシングすることができる。
【０１４６】
また、ウェアラブルデバイス２００着用者が、ウェアラブルデバイス２００を着用した手を上げる場合（ウェアラブルデバイス２００を着用した手首を反時計回り方向に一定角度回転させる場合）、ウェアラブルデバイス２００は、ウェアラブルデバイス２００が動いた方向、ウェアラブルデバイス２００の移動距離、ウェアラブルデバイス２００の回転角度、移動前後の移動端末機１００との距離などをセンシングすることができる。また、ウェアラブルデバイス２００は、センシングされたウェアラブルデバイス２００の動き情報を、移動端末機１００に伝送することができる。
【０１４７】
移動端末機１００は、移動端末機１００の動き情報と、ウェアラブルデバイス２００の動き情報とを比較することができる。このとき、移動端末機１００は、移動端末機１００の動き情報（例えば、移動端末機１００が動いた方向、動いた距離、動いた角度、速度、速度の変化、移動前後のウェアラブルデバイス２００との距離など）と、ウェアラブルデバイス２００の動き情報（例えば、ウェアラブルデバイス２００が動いた方向、動いた距離、動いた角度、速度、速度の変化、移動前後の移動端末機１００との距離など）が所定範囲内で一致すれば、移動端末機１００の動きと、ウェアラブルデバイス２００の動きとが同一であると判断することができる。
【０１４８】
一方、移動端末機１００は、移動端末機１００の動きと、ウェアラブルデバイス２００の動きとが同一であり、ウェアラブルデバイス２００のロッキングモードが解除された場合、移動端末機１００のディスプレイ部にホームスクリーン８２０を表示することができる。
【０１４９】
例えば、図８Ａに図示されているように、移動端末機１００のディスプレイ部は、非活性状態８１０でもある。例えば、非活性状態８１０は、移動端末機１００のディスプレイ部がターンオフ状態を意味する。一方、ウェアラブルデバイス２００のディスプレイ部は、ターンオン状態（活性状態）でもある。移動端末機１００は、非活性状態において、移動端末機１００の動きと、ウェアラブルデバイス２００の動きとが同一であり、ウェアラブルデバイス２００のロッキングモードが解除された場合、移動端末機１００のディスプレイ部に、ホームスクリーン８２０を表示することができる。
【０１５０】
ホームスクリーン８２０には、既設定のアプリケーションに対応するアイコン、または既設定のイメージなどが表示される。ただし、それらに限定されるものではない。
【０１５１】
または、図８Ｂに図示されているように、移動端末機１００のディスプレイ部、及びウェアラブルデバイス２００のディスプレイ部がいずれもターンオフ状態（非活性状態）において、移動端末機１００の動きと、ウェアラブルデバイス２００の動きとが同一であり、ウェアラブルデバイス２００のロッキングモードが解除された場合、移動端末機１００は、移動端末機１００のディスプレイ部に、ホームスクリーン８２０を表示することができる。
【０１５２】
または、図９Ａに図示されているように、移動端末機１００は、ディスプレイ部に、ロッキングモード画面９１０を表示することができる。ロッキングモード画面９１０は、ロッキングモードを解除するための暗号を入力することができる画面を含んでもよい。例えば、ロッキングモードを解除するための暗号は、複数個のボタンを連結する線パターンでもあり、数字や文字で構成された暗号でもある。ただし、それらに限定されるものではない。また、ウェアラブルデバイス２００のディスプレイ部は、ターンオン状態（活性状態）でもある。
【０１５３】
移動端末機１００は、ロッキングモード画面９１０が表示された状態において、移動端末機１００の動きと、ウェアラブルデバイス２００の動きとが同一であり、ウェアラブルデバイス２００のロッキングモードが解除された場合、移動端末機１００のディスプレイ部に、ホームスクリーン９２０を表示することができる。
【０１５４】
または、図９Ｂに図示されているように、移動端末機１００にロッキングモード画面９１０が表示され、ウェアラブルデバイス２００のディスプレイ部は、ターンオフ状態（非活性状態）において、移動端末機１００の動きと、ウェアラブルデバイス２００の動きとが同一であり、ウェアラブルデバイス２００のロッキングモードが解除された場合、移動端末機１００は、移動端末機１００のディスプレイ部に、ホームスクリーン８２０を表示することができる。
【０１５５】
本発明の一実施形態による移動端末機１００は、ウェアラブルデバイス２００のロッキングモードが解除され、移動端末機１００ユーザがウェアラブルデバイス２００を着用していることを認知するならば、移動端末機１００のロッキングモードを解除させるための暗号入力を別途に要求せず、ロッキングモードを解除させることができる。
【０１５６】
それにより、ユーザがウェアラブルデバイス２００を手首に着用した状態で、移動端末機１００を同一の手で使用する場合、ウェアラブルデバイス２００のロッキングモードが解除された状態であるならば、移動端末機１００のロッキングモードを解除させるために、所定の認証手続き（例えば、パスワードやパターン入力など）を経ず、動きだけでもって、移動端末機１００のロッキングモードを解除することができる。
【０１５７】
図１０は、本発明の一実施形態による、ウェアラブルデバイスでユーザ認証がなされた場合、移動端末機でも、ユーザ認証がなされる方法を示すフローチャートであり、図１１は、図１０の方法について説明するための図面である。
【０１５８】
本発明の一実施形態による移動端末機１００は、移動端末機１００でセンシングされた移動端末機の動きと、移動端末機と連結されたウェアラブルデバイス２００でセンシングされたウェアラブルデバイスの動きとが同一である場合、ウェアラブルデバイス２００において、すでにユーザ認証がなされれば、移動端末機１００において、ユーザ認証情報を入力する必要なしに、ユーザ認証がなされる。以下において詳細に説明する。
【０１５９】
図１０を参照すれば、ウェアラブルデバイス２００は、ユーザ認証を行うことができる（Ｓ１０１０）。
【０１６０】
ウェアラブルデバイス２００ユーザは、ユーザ認証情報（例えば、ユーザＩＤ、パスワードなど）を入力し、ネットワーク、システムなどに対するユーザ認証を行うことができる。ユーザ認証は、ネットワーク、システムなどにアクセス可能な正当なユーザであるということを認証されることを意味する。
【０１６１】
例えば、ウェアラブルデバイス２００ユーザは、ユーザ認証情報を利用して、サービスを提供するサイトなどにログインすることができる。
【０１６２】
再び図１０を参照すれば、ウェアラブルデバイス２００は、既設定の距離範囲内に存在する移動端末機１００に、識別情報を伝送することができる（Ｓ１０２０）。
【０１６３】
移動端末機１００は、移動端末機１００から、既設定の距離範囲内に存在するウェアラブルデバイス２００を認識することができる（Ｓ１０３０）。
【０１６４】
また、移動端末機１００は、認識されたウェアラブルデバイスが、移動端末機と連結されたウェアラブルデバイスであるか否かということを判断することができる（Ｓ１０４０）。
【０１６５】
一方、図１０のフローチャートには、ウェアラブルデバイス２００がウェブページを表示する段階（Ｓ１０１０）が、１０２０段階（Ｓ１０２０）ないし１０４０段階（Ｓ１０４０）に先立つように図示しているが、それに限定されるものではなく、１０１０段階（Ｓ１０１０）は、１０２０段階（Ｓ１０２０）ないし１０４０段階（Ｓ１０４０）の間でも遂行され、１０４０段階（Ｓ１０４０）と１０５０段階（Ｓ１０５０）との間でも遂行される。
【０１６６】
移動端末機１００は、認識されたウェアラブルデバイス２００が、移動端末機１００と連結されたウェアラブルデバイスである場合、移動端末機１００の動きをセンシングし、移動端末機１００の動き情報を獲得することができる（Ｓ１０５０）。
【０１６７】
一方、ウェアラブルデバイス２００は、ウェアラブルデバイス２００の動きをセンシングし、ウェアラブルデバイス２００の動き情報を獲得することができる（Ｓ１０５５）。このとき、ウェアラブルデバイス２００は、移動端末機１００が移動端末機１００の動きをセンシングする段階（Ｓ１０５０）と同一時間に、ウェアラブルデバイス２００の動きをセンシングすることができる。
【０１６８】
移動端末機１００は、ウェアラブルデバイス２００に、ウェアラブルデバイス２００の動き情報を要請することができる（Ｓ１０６０）。
【０１６９】
ウェアラブルデバイス２００は、ウェアラブルデバイス２００でセンシングされたウェアラブルデバイス２００の動き情報を、移動端末機１００に伝送することができる（Ｓ１０６５）。
【０１７０】
移動端末機１００は、移動端末機１００の動きと、ウェアラブルデバイス２００の動きとが同一であるか否かということを判断することができる（Ｓ１０７０）。
【０１７１】
前述の、図１０の１０２０段階（Ｓ１０３０）ないし１０７０段階（Ｓ１０７０）は、図４の４２０段階（Ｓ４２０）ないし４８０段階（Ｓ４８０）に対応するので、具体的な説明は省略する。
【０１７２】
移動端末機１００は、移動端末機１００の動きと、ウェアラブルデバイス２００の動きとが同一であると判断される場合、ウェアラブルデバイス２００から、ユーザ認証情報を受信することができる（Ｓ１０８０）。
【０１７３】
移動端末機１００は、受信したユーザ認証情報に基づいて、ウェアラブルデバイス２００で認証されたネットワーク、システムなどにアクセスすることができる（Ｓ１０９０）。
【０１７４】
例えば、図１１を参照すれば、ウェアラブルデバイス２００において、すでにＳＮＳ（social network service）ページにユーザ認証を行い、ログインされた状態であり、移動端末機１００は、ＳＮＳページにログインするためのユーザ認証情報を入力される画面１１１０を表示することができる。このとき、移動端末機の動きと、ウェアラブルデバイスの動きとが同一であれば、移動端末機は、ＳＮＳページにログインを行い、当該ページ１１２０を表示することができる。
【０１７５】
それにより、ユーザがウェアラブルデバイス２００において、すでにサイトにユーザ認証された場合、移動端末機１００にユーザ認証情報をさらに入力する必要なしに、モーション（例えば、移動端末機を手にして持ち上げるモーションなど）だけで、サイトにユーザ認証を行うことができる。
【０１７６】
図１２は、本発明の一実施形態による、ウェアラブルデバイスに表示されるウェブページを移動端末機に表示する方法を示すフローチャートであり、図１３は、図１２の方法について説明するための図面である。
【０１７７】
本発明の一実施形態による移動端末機１００は、移動端末機１００でセンシングされた移動端末機の動きと、移動端末機と連結されたウェアラブルデバイス２００でセンシングされたウェアラブルデバイスの動きとが同一である場合、ウェアラブルデバイス２００に表示されるウェブページを、移動端末機１００に表示することができる。以下で詳細に説明する。
【０１７８】
本発明の一実施形態による移動端末機１００及びウェアラブルデバイス２００には、ウェブブラウジングが可能なウェブアプリケーションがインストールされている。
【０１７９】
図１２を参照すれば、ウェアラブルデバイス２００は、ウェブページを表示することができる（Ｓ１２１０）。
【０１８０】
例えば、ユーザは、ウェアラブルデバイス２００を利用して、ウェブアプリケーションを実行することができ、ウェブアプリケーションが実行される場合、図１３に図示されているように、ウェアラブルデバイス２００のディスプレイ部に、ウェブページ１３１０が表示される。ウェプページ１３１０は、インターネット上のウェブ文書を表示するページであり、多様なコンテンツが表示される。
【０１８１】
再び図１２を参照すれば、ウェアラブルデバイス２００は、既設定の距離範囲内に存在する移動端末機１００に、識別情報を伝送することができる（Ｓ１２２０）。
【０１８２】
移動端末機１００は、移動端末機１００から、既設定の距離範囲内に存在するウェアラブルデバイス２００を認識することができる（Ｓ１２３０）。
【０１８３】
また、移動端末機１００は、認識されたウェアラブルデバイスが、移動端末機と連結されたウェアラブルデバイスであるか否かということを判断することができる（Ｓ１２４０）。
【０１８４】
一方、図１２のフローチャートには、ウェアラブルデバイス２００がウェブページを表示する段階（Ｓ１２１０）が、１２２０段階（Ｓ１２２０）ないし１２４０段階（Ｓ１２４０）に先立つように図示しているが、それに限定されるものではなく、１２１０段階（Ｓ１２１０）は、１２２０段階（Ｓ１２２０）ないし１２４０段階（Ｓ１２４０）の間でも遂行され、１２４０段階（Ｓ１２４０）と１２５０段階（Ｓ１２５０）との間でも遂行される。
【０１８５】
移動端末機１００は、認識されたウェアラブルデバイス２００が、移動端末機１００と連結されたウェアラブルデバイスである場合、移動端末機１００の動きをセンシングし、移動端末機１００の動き情報を獲得することができる（Ｓ１２５０）。
【０１８６】
一方、ウェアラブルデバイス２００は、ウェアラブルデバイス２００の動きをセンシングし、ウェアラブルデバイス２００の動き情報を獲得することができる（Ｓ１２５５）。このとき、ウェアラブルデバイス２００は、移動端末機１００が移動端末機１００の動きをセンシングする段階（Ｓ１２５０）と同一時間に、ウェアラブルデバイス２００の動きをセンシングすることができる。
【０１８７】
移動端末機１００は、ウェアラブルデバイス２００に、ウェアラブルデバイス２００の動き情報を要請することができる（Ｓ１２６０）。
【０１８８】
ウェアラブルデバイス２００は、ウェアラブルデバイス２００でセンシングされたウェアラブルデバイス２００の動き情報を、移動端末機１００に伝送することができる（Ｓ１２６５）。
【０１８９】
移動端末機１００は、移動端末機１００の動きと、ウェアラブルデバイス２００の動きとが同一であるか否かということを判断することができる（Ｓ１２７０）。
【０１９０】
前述の、図１２の１２２０段階（Ｓ１２３０）ないし１２７０段階（Ｓ１２７０）は、図４の４２０段階（Ｓ４２０）ないし４８０段階（Ｓ４８０）に対応するので、具体的な説明は省略する。
【０１９１】
移動端末機１００は、移動端末機１００の動きと、ウェアラブルデバイス２００の動きとが同一であると判断される場合、ウェアラブルデバイス２００から、ウェアラブルデバイス２００で表示中であるウェブページ情報を受信することができる（Ｓ１２８０）。
【０１９２】
例えば、移動端末機１００は、ウェアラブルデバイス２００に表示中であるウェブページアドレス情報を受信することができる。
【０１９３】
移動端末機１００は、受信したウェブページ情報に基づいて、ウェアラブルデバイス２００のディスプレイ部に表示されるウェブページと同一ウェブページを、移動端末機１００のディスプレイ部に表示することができる（Ｓ１２９０）。
【０１９４】
例えば、図１３を参照すれば、非活性化状態１３２０の移動端末機１００は、受信したウェブページ情報に基づいて、ウェブアプリケーションを実行させ、ウェアラブルデバイス２００のディスプレイ部に表示されるウェブページと同一ウェブページ１３３０を表示することができる。
【０１９５】
このとき、移動端末機１００に表示されるウェブページと、ウェアラブルデバイス２００に表示されるウェブページは、デバイスの種類によって異なるように表示されるウェブページでもある。例えば、移動端末機１００は、移動端末機１００バージョンのウェブページを表示することができ、ウェアラブルデバイス２００は、ウェアラブルデバイス２００バージョンのウェブページを表示することができる。
【０１９６】
一方、ウェアラブルデバイス２００は、ディスプレイ部を非活性化状態に転換するか、あるいはディスプレイ部に情報（例えば、時計、天気など）を含む画面を表示することができる。ただし、それらに限定されるものではない。
【０１９７】
それにより、ユーザがウェアラブルデバイス２００を使用してウェブブラウジングを行っていて、移動端末機１００を使用してウェブブラウジングを行う場合、移動端末機１００に、ウェブページアドレスをさらに入力する必要なしに、モーション（例えば、移動端末機を手にして持ち上げるモーションなど）だけで、ウェアラブルデバイス２００に表示されたウェブページを、移動端末機１００に表示することができる。
【０１９８】
また、移動端末機１００は、ウェアラブルデバイス２００で行ったウェブブラウジング履歴データを共に受信することができる。それにより、移動端末機１００は、現在ウェアラブルデバイス２００に表示されるウェブページと同一ウェブページを表示するだけではなく、バックボタン入力（現在表示しているウェブページの以前ページに移動する入力）を受信する場合、ウェアラブルデバイス２００において、現在ページを表示する以前に表示されたウェブページを、移動端末機１００に表示することができる。
【０１９９】
図１４は、本発明の一実施形態による、ウェアラブルデバイスが通話連結要請を受信する場合、移動端末機によって通話連結を行う方法を示すフローチャートであり、図１５は、図１４の方法について説明するための図面である。
【０２００】
本発明の一実施形態による移動端末機１００は、移動端末機１００でセンシングされた移動端末機の動きと、移動端末機と連結されたウェアラブルデバイス２００でセンシングされたウェアラブルデバイスの動きとが同一である場合、ウェアラブルデバイス２００で受信した通話連結要請に対して、移動端末機１００を利用して通話を行うことができる。以下で詳細に説明する。
【０２０１】
本発明の一実施形態による、移動端末機１００及びウェアラブルデバイス２００には、外部デバイスと通話が可能な通話アプリケーションがインストールされている。
【０２０２】
図１４を参照すれば、ウェアラブルデバイスは、外部デバイスから通話連結要請を受信することができる（Ｓ１４１０）。
【０２０３】
例えば、ウェアラブルデバイス２００が通話連結要請を受信する場合、図１５に図示されているように、通話連結要請画面１５１０が表示される。
【０２０４】
このとき、通話連結要請画面１５１０には、通話連結を要請した相手デバイスの識別情報が表示される。相手デバイスの識別情報は、相手デバイスの電話番号、相手ユーザ姓名、ニックネームなどを含んでもよい。また、通話連結要請画面は、通話連結ボタン及び通話拒否ボタンを含んでもよい。
【０２０５】
一方、ウェアラブルデバイス２００が通話連結要請を受信する場合、同時に、移動端末機１００も、同一外部デバイスから通話連結要請を受信することができる。ただし、それに限定されるものではない。
【０２０６】
再び図１４を参照すれば、ウェアラブルデバイス２００は、既設定の距離範囲内に存在する移動端末機１００に、識別情報を伝送することができる（Ｓ１４２０）。
【０２０７】
移動端末機１００は、移動端末機１００から、既設定の距離範囲内に存在するウェアラブルデバイス２００を認識することができる（Ｓ１４３０）。
【０２０８】
また、移動端末機１００は、認識されたウェアラブルデバイスが、移動端末機と連結されたウェアラブルデバイスであるか否かということを判断することができる（Ｓ１４４０）。
【０２０９】
一方、図１４のフローチャートには、ウェアラブルデバイス２００が通話連結要請を受信する段階（Ｓ１４１０）が、１４２０段階（Ｓ１４２０）ないし１４４０段階（Ｓ１４４０）に先立つように図示しているが、それに限定されるものではなく、１４１０段階（Ｓ１４１０）は、１４２０段階（Ｓ１４２０）ないし１４４０段階（Ｓ１４４０）の間でも遂行され、１４４０段階（Ｓ１４４０）と１４５０段階（Ｓ１４５０）との間でも遂行される。
【０２１０】
移動端末機１００は、認識されたウェアラブルデバイス２００が、移動端末機１００と連結されたウェアラブルデバイスである場合、移動端末機１００の動きをセンシングし、移動端末機１００の動き情報を獲得することができる（Ｓ１４５０）。
【０２１１】
一方、ウェアラブルデバイス２００は、ウェアラブルデバイス２００の動きをセンシングし、ウェアラブルデバイス２００の動き情報を獲得することができる（Ｓ１４５５）。このとき、ウェアラブルデバイス２００は、移動端末機１００が移動端末機１００の動きをセンシングする段階（Ｓ１４５０）と同一時間に、ウェアラブルデバイス２００の動きをセンシングすることができる。
【０２１２】
移動端末機１００は、ウェアラブルデバイス２００に、ウェアラブルデバイス２００の動き情報を要請することができる（Ｓ１４６０）。
【０２１３】
ウェアラブルデバイス２００は、ウェアラブルデバイス２００でセンシングされたウェアラブルデバイス２００の動き情報を、移動端末機１００に伝送することができる（Ｓ１４６５）。
【０２１４】
移動端末機１００は、移動端末機１００の動きと、ウェアラブルデバイス２００の動きとが同一であるか否かということを判断することができる（Ｓ１４７０）。
【０２１５】
前述の、図１４の１４２０段階（Ｓ１４２０）ないし１４７０段階（Ｓ１４７０）は、図４の４２０段階（Ｓ４２０）ないし４８０段階（Ｓ４８０）に対応するので、具体的な説明は省略する。
【０２１６】
移動端末機１００は、移動端末機１００の動きと、ウェアラブルデバイス２００の動きとが同一であると判断される場合、ウェアラブルデバイス２００は、受信した通話連結要請に対応する通話連結情報を、移動端末機１００に伝送することができる（Ｓ１４８０）。
【０２１７】
例えば、ウェアラブルデバイス２００に通話連結を要請した相手デバイスの識別情報などを受信することができ、図１５に図示されているように、通話連結要請画面１５３０を表示することができる。
【０２１８】
移動端末機１００は、受信した通話連結情報に基づいて、ウェアラブルデバイス２００に通話連結を要請した相手デバイスとの通話連結を行うことができる（Ｓ１４９０）。
【０２１９】
それにより、ウェアラブルデバイス２００に通話連結要請画面が表示される場合、ユーザは、移動端末機に別途の通話連結ボタン入力なしに、モーション（例えば、移動端末機を手にして持ち上げるモーションなど）だけで通話連結を行うことができる。
【０２２０】
図１６は、本発明の一実施形態による、ウェアラブルデバイスを利用して、外部デバイスと通話を行っている最中、移動端末機を利用して外部デバイスと通話を行う方法を示すフローチャートであり、図１７は、図１６の方法について説明するための図面である。
【０２２１】
本発明の一実施形態による移動端末機１００は、移動端末機１００でセンシングされた移動端末機の動きと、移動端末機と連結されたウェアラブルデバイス２００でセンシングされたウェアラブルデバイスの動きとが同一である場合、ウェアラブルデバイス２００で行った通話を移動端末機１００で行うことができる。以下で詳細に説明する。
【０２２２】
図１６を参照すれば、ウェアラブルデバイス２００は、外部デバイスから通話連結要請を受信することができる（Ｓ１６１０）。
【０２２３】
例えば、ウェアラブルデバイスが通話連結要請を受信する場合、図１７に図示されているように、通話連結要請画面１７１０が表示され、ユーザは、通話連結要請画面１７１０に含まれた通話連結ボタンを選択し、外部デバイスと通話連結を行うことができる（Ｓ１６１５）。
【０２２４】
再び図１６を参照すれば、ウェアラブルデバイス２００は、既設定の距離範囲内に存在する移動端末機１００に、識別情報を伝送することができる（Ｓ１６２０）。
【０２２５】
移動端末機１００は、移動端末機１００から、既設定の距離範囲内に存在するウェアラブルデバイス２００を認識することができる（Ｓ１６３０）。
【０２２６】
また、移動端末機１００は、認識されたウェアラブルデバイスが、移動端末機と連結されたウェアラブルデバイスであるか否かということを判断することができる（Ｓ１６４０）。
【０２２７】
一方、図１６のフローチャートには、ウェアラブルデバイス２００がウェブページを表示する段階（Ｓ１６１０）が１６２０段階（Ｓ１６２０）ないし１６４０段階（Ｓ１６４０）に先立つように図示しているが、それに限定されるものではなく、１６１０段階（Ｓ１６１０）は、１６２０段階（Ｓ１６２０）ないし１６４０段階（Ｓ１６４０）の間でも遂行され、１６４０段階（Ｓ１６４０）と１６５０段階（Ｓ１６５０）との間でも遂行される。
【０２２８】
移動端末機１００は、認識されたウェアラブルデバイス２００が、移動端末機１００と連結されたウェアラブルデバイスである場合、移動端末機１００の動きをセンシングし、移動端末機１００の動き情報を獲得することができる（Ｓ１６５０）。
【０２２９】
一方、ウェアラブルデバイス２００は、ウェアラブルデバイス２００の動きをセンシングし、ウェアラブルデバイス２００の動き情報を獲得することができる（Ｓ１６５５）。このとき、ウェアラブルデバイス２００は、移動端末機１００が移動端末機１００の動きをセンシングする段階（Ｓ１６５０）と同一時間に、ウェアラブルデバイス２００の動きをセンシングすることができる。
【０２３０】
移動端末機１００は、ウェアラブルデバイス２００に、ウェアラブルデバイス２００の動き情報を要請することができる（Ｓ１６６０）。
【０２３１】
ウェアラブルデバイス２００は、ウェアラブルデバイス２００でセンシングされたウェアラブルデバイス２００の動き情報を、移動端末機１００に伝送することができる（Ｓ１６６５）。
【０２３２】
移動端末機１００は、移動端末機１００の動きと、ウェアラブルデバイス２００の動きとが同一であるか否かということを判断することができる（Ｓ１６７０）。
【０２３３】
前述の、図１６の１６２０段階（Ｓ１６３０）ないし１６７０段階（Ｓ１６７０）は、図４の４２０段階（Ｓ４２０）ないし４８０段階（Ｓ４８０）に対応するので、具体的な説明は省略する。
【０２３４】
移動端末機１００の動きと、ウェアラブルデバイス２００の動きとが同一であると判断される場合、ウェアラブルデバイス２００は、移動端末機１００に通話連結情報を伝送することができる（Ｓ１６８０）。
【０２３５】
例えば、ウェアラブルデバイス２００と通話を行っている相手デバイスの識別情報などを受信することができる。
【０２３６】
移動端末機１００は、受信した通話連結情報に基づいて、ウェアラブルデバイス２００と通話中である相手デバイスと通話連結を行うことができる（Ｓ１６９０）。このとき、移動端末機と相手デバイスとの通話連結がなされれば、ウェアラブルデバイス２００と相手デバイスとの通話連結は終了する。例えば、移動端末機１００は、基地局または通信社（communication provider）サーバに通話連結情報を伝送し、基地局または通信社サーバは、受信した通話連結情報に基づいて、ウェアラブルデバイス２００と通話を行っている相手デバイスと、移動端末機１００との通話連結（例えば、ルーティング（routing））を遂行することができる。
【０２３７】
または、ウェアラブルデバイス２００と相手デバイスとの通話連結は維持した状態で、移動端末機１００は、通話インターフェースとして利用される。例えば、ウェアラブルデバイス２００は、基地局または通信社サーバを介して、相手デバイスから受信した音声信号を、移動端末機１００に伝送することができる。移動端末機１００は、ウェアラブルデバイス２００から受信した音声信号を出力することができ、移動端末機１００に入力される音声信号を、ウェアラブルデバイス２００に伝送することができる。ウェアラブルデバイス２００は、基地局または通信社サーバを介して、相手デバイスに音声信号を伝送することができる。
【０２３８】
それにより、ユーザがウェアラブルデバイス２００を利用して、相手（外部デバイスのユーザ）と通話している最中、ウェアラブルデバイス２００の代わりに、移動端末機１００を利用して通話を行う場合、ユーザは、モーション（例えば、移動端末機を手にして持ち上げるモーションなど）だけで、外部デバイスとの通話連結を行うことができる。従って、ユーザは、ウェアラブルデバイス２００で通話中である相手と通話を切り、さらに移動端末機を利用して通話を連結する動作を遂行する必要がない。
【０２３９】
図１８は、本発明の一実施形態による、ウェアラブルデバイスが通知メッセージを受信する場合、移動端末機において、通知メッセージに係わるアプリケーションを実行する方法を示すフローチャートであり、図１９及び図２０は、図１８の方法について説明するための図面である。
【０２４０】
本発明の一実施形態による移動端末機１００は、移動端末機１００でセンシングされた移動端末機の動きと、移動端末機と連結されたウェアラブルデバイス２００でセンシングされたウェアラブルデバイスの動きとが同一である場合、ウェアラブルデバイス２００に受信された通知メッセージに係わるアプリケーションを実行させることができる。以下で詳細に説明する。
【０２４１】
図１８を参照すれば、ウェアラブルデバイスは、通知メッセージを表示することができる（Ｓ１８１０）。
【０２４２】
例えば、図１９（ａ）に図示されているように、ウェアラブルデバイス２００は、ゲームアプリケーション関連通知メッセージ１９１０を受信し、ディスプレイ部に表示することができる。または、図２０（ａ）に図示されているように、ＳＮＳアプリケーション関連通知メッセージ２０１０を受信し、ディスプレイ部に表示することができる。ただし、それらに限定されるものではなく、ウェアラブルデバイス２００は、多様なアプリケーション関連通知メッセージを受信し、表示することができる。また、通知メッセージは、ポップアップウィンドウにも表示される。
【０２４３】
再び図１８を参照すれば、ウェアラブルデバイス２００は、既設定の距離範囲内に存在する移動端末機１００に、識別情報を伝送することができる（Ｓ１８２０）。
【０２４４】
移動端末機１００は、移動端末機１００から、既設定の距離範囲内に存在するウェアラブルデバイス２００を認識することができる（Ｓ１８３０）。
【０２４５】
また、移動端末機１００は、認識されたウェアラブルデバイスが、移動端末機と連結されたウェアラブルデバイスであるか否かということを判断することができる（Ｓ１８４０）。
【０２４６】
一方、図１８のフローチャートには、ウェアラブルデバイス２００が通話連結要請を受信する段階（Ｓ１８１０）が１８２０段階（Ｓ１８２０）ないし１８４０段階（Ｓ１８４０）に先立つように図示しているが、それに限定されるものではなく、１８１０段階（Ｓ１８１０）は、１８２０段階（Ｓ１８２０）ないし１８４０段階（Ｓ１８４０）の間でも遂行され、１８４０段階（Ｓ１８４０）と１８５０段階（Ｓ１８５０）との間でも遂行される。
【０２４７】
移動端末機１００は、認識されたウェアラブルデバイス２００が、移動端末機１００と連結されたウェアラブルデバイスである場合、移動端末機１００の動きをセンシングし、移動端末機１００の動き情報を獲得することができる（Ｓ１８５０）。
【０２４８】
一方、ウェアラブルデバイス２００は、ウェアラブルデバイス２００の動きをセンシングし、ウェアラブルデバイス２００の動き情報を獲得することができる（Ｓ１８５５）。このとき、ウェアラブルデバイス２００は、移動端末機１００が移動端末機１００の動きをセンシングする段階（Ｓ１８５０）と同一時間に、ウェアラブルデバイス２００の動きをセンシングすることができる。
【０２４９】
移動端末機１００は、ウェアラブルデバイス２００に、ウェアラブルデバイス２００の動き情報を要請することができる（Ｓ１８６０）。
【０２５０】
ウェアラブルデバイス２００は、ウェアラブルデバイス２００でセンシングされたウェアラブルデバイス２００の動き情報を、移動端末機１００に伝送することができる（Ｓ１８６５）。
【０２５１】
移動端末機１００は、移動端末機１００の動きと、ウェアラブルデバイス２００の動きとが同一であるか否かということを判断することができる（Ｓ１８７０）。
【０２５２】
前述の、図１８の１８２０段階（Ｓ１８２０）ないし１８７０段階（Ｓ１８７０）は、図４の４２０段階（Ｓ４２０）ないし４８０段階（Ｓ４８０）に対応するので、具体的な説明は省略する。
【０２５３】
移動端末機１００の動きと、ウェアラブルデバイス２００の動きとが同一であると判断される場合、ウェアラブルデバイス２００は、通知メッセージに係わるアプリケーション情報を、移動端末機１００に伝送することができる（Ｓ１８８０）。
【０２５４】
例えば、通知メッセージに係わるアプリケーション情報は、アプリケーション名、アプリケーション種類、アプリケーションバージョン情報、アプリケーション実行情報（アプリケーションを実行させるための情報）などを含んでもよい。
【０２５５】
移動端末機１００は、ウェアラブルデバイス２００から受信した通知メッセージ関連アプリケーション情報に基づいて、ウェアラブルデバイス２００に表示された通知メッセージに該当するアプリケーションを実行させることができる（Ｓ１８９０）。
【０２５６】
このとき、ウェアラブルデバイス２００に表示された通知メッセージ関連アプリケーションは、移動端末機１００にあらかじめインストールされたアプリケーションでもある。
【０２５７】
例えば、移動端末機１００は、図１９に図示されているように、ウェアラブルデバイス２００表示されるゲーム通知メッセージ１９１０に係わるゲームアプリケーションを実行させることができる。
【０２５８】
それにより、ユーザがウェアラブルデバイス２００に表示された通知メッセージに係わるアプリケーションを移動端末機１００で実行させようとする場合、移動端末機１００で当該アプリケーションを選択して実行させる必要なしに、モーション（例えば、移動端末機を手にして持ち上げるモーションなど）だけで、ウェアラブルデバイス２００に表示される通知メッセージに係わるアプリケーションを移動端末機１００で実行させることができる。
【０２５９】
図２０は、本発明の一実施形態による、ウェアラブルデバイスにＳＮＳアプリケーション関連通知メッセージが表示される場合、移動端末機でＳＮＳアプリケーションを実行する方法を示す図面である。
【０２６０】
図２０に図示されているように、ウェアラブルデバイス２００は、ＳＮＳアプリケーション関連通知メッセージ２０１０を受信し、表示することができる。
【０２６１】
例えば、ウェアラブルデバイス２００ユーザと同一ソーシャルグループに含まれたソーシャル友人が新たな写真をＳＮＳにアップロードしたというメッセージなどが表示される。
【０２６２】
移動端末機１００は、図１８の１８５０段階（Ｓ１８５０）ないし１８７０段階（Ｓ１８７０）で説明したように、移動端末機１００の動きと、ウェアラブルデバイス２００の動きとが同一であると判断される場合、移動端末機１００は、ウェアラブルデバイス２００から、ＳＮＳアプリケーション情報及びＳＮＳ通知メッセージ情報を受信することができる。
【０２６３】
ＳＮＳアプリケーション情報は、ＳＮＳアプリケーション名、ＳＮＳアプリケーション種類、ＳＮＳアプリケーションバージョン情報、ＳＮＳアプリケーション実行情報（ＳＮＳアプリケーションを実行させるための情報）などを含んでもよく、ＳＮＳ通知メッセージ情報は、ウェアラブルデバイス２００に表示される通知メッセージ２０１０に係わるソーシャルページ情報（例えば、ソーシャル友人のページにアップデートされた内容が通知メッセージに含まれる場合、当該ソーシャル友人のページアドレス情報）などを含んでもよい。
【０２６４】
移動端末機１００は、受信したＳＮＳアプリケーション情報及びＳＮＳ通知メッセージ情報に基づいて、ウェアラブルデバイス２００に表示されるＳＮＳ通知メッセージ２０１０に係わるアプリケーション２０３０を実行させることができる。
【０２６５】
例えば、図２０に図示されているように、ウェアラブルデバイス２００に表示される通知メッセージ２０１０が、ウェアラブルデバイスユーザと同一ソーシャルグループに含まれたソーシャル友人が、新たな写真をＳＮＳにアップロードしたというメッセージである場合、移動端末機１００は、図２０に図示されているように、当該ＳＮＳアプリケーション２０３０を実行させ、当該ソーシャル友人のページ、またはソーシャル友人がアップロードした写真を含むページを表示することができる。ただし、それに限定されるものではない。
【０２６６】
それにより、ユーザがウェアラブルデバイス２００に表示されたＳＮＳ通知メッセージ２０１０に係わる内容を、移動端末機１００で確認しようとする場合、移動端末機１００でＳＮＳアプリケーションを選択して実行させる必要なしに、モーション（例えば、移動端末機を手にして持ち上げるモーションなど）だけで、ウェアラブルデバイス２００に表示される通知メッセージ２０１０に係わる内容を移動端末機１００で確認することができる。
【０２６７】
図２１は、本発明の一実施形態による、ウェアラブルデバイスがメッセージを受信する場合、移動端末機で受信されたメッセージを表示する方法を示すフローチャートであり、図２２は、図２１の方法について説明するための図面である。
【０２６８】
本発明の一実施形態による移動端末機１００は、移動端末機１００でセンシングされた移動端末機の動きと、移動端末機と連結されたウェアラブルデバイス２００でセンシングされたウェアラブルデバイスの動きとが同一である場合、ウェアラブルデバイス２００に受信されたメッセージを表示することができる。以下で詳細に説明する。
【０２６９】
図２１を参照すれば、ウェアラブルデバイス２００は、メッセージを受信することができる（Ｓ２１１０）。
【０２７０】
該メッセージは、外部デバイスから受信した文字メッセージ、インスタントメッセージ、チャットメッセージ、電子メールなどを含んでもよい。また、ウェアラブルデバイス２００は、メッセージを受信した場合、お知らせを出力することができる。例えば、図２２に図示されているように、メッセージ受信に対する通知メッセージ２２１０をディスプレイ部に表示することができる。または、アラームや振動を出力することができる。ただし、それらに限定されるものではない。
【０２７１】
再び図２１を参照すれば、ウェアラブルデバイス２００は、既設定の距離範囲内に存在する移動端末機１００に、識別情報を伝送することができる（Ｓ２１２０）。
【０２７２】
移動端末機１００は、移動端末機１００から、既設定の距離範囲内に存在するウェアラブルデバイス２００を認識することができる（Ｓ２１３０）。
【０２７３】
また、移動端末機１００は、認識されたウェアラブルデバイスが、移動端末機と連結されたウェアラブルデバイスであるか否かということを判断することができる（Ｓ２１４０）。
【０２７４】
一方、図２１のフローチャートには、ウェアラブルデバイス２００がメッセージを受信する段階（Ｓ２１１０）が２１２０段階（Ｓ２１２０）ないし２１４０段階（Ｓ２１４０）に先立つように図示しているが、それに限定されるものではなく、２１１０段階（Ｓ２１１０）は、２１２０段階（Ｓ２１２０）ないし２１４０段階（Ｓ２１４０）の間でも遂行され、２１４０段階（Ｓ２１４０）と２１５０段階（Ｓ２１５０）との間でも遂行される。
【０２７５】
移動端末機１００は、認識されたウェアラブルデバイス２００が、移動端末機１００と連結されたウェアラブルデバイスである場合、移動端末機１００の動きをセンシングし、移動端末機１００の動き情報を獲得することができる（Ｓ２１５０）。
【０２７６】
一方、ウェアラブルデバイス２００は、ウェアラブルデバイス２００の動きをセンシングし、ウェアラブルデバイス２００の動き情報を獲得することができる（Ｓ２１５５）。このとき、ウェアラブルデバイス２００は、移動端末機１００が移動端末機１００の動きをセンシングする段階（Ｓ２１５０）と同一時間に、ウェアラブルデバイス２００の動きをセンシングすることができる。
【０２７７】
移動端末機１００は、ウェアラブルデバイス２００に、ウェアラブルデバイス２００の動き情報を要請することができる（Ｓ２１６０）。
【０２７８】
ウェアラブルデバイス２００は、ウェアラブルデバイス２００でセンシングされたウェアラブルデバイス２００の動き情報を、移動端末機１００に伝送することができる（Ｓ２１６５）。
【０２７９】
移動端末機１００は、移動端末機１００の動きと、ウェアラブルデバイス２００の動きとが同一であるか否かということを判断することができる（Ｓ２１７０）。
【０２８０】
前述の、図２１の２１２０段階（Ｓ２１３０）ないし２１７０段階（Ｓ２１７０）は、図４の４２０段階（Ｓ４２０）ないし４８０段階（Ｓ４８０）に対応するので、具体的な説明は省略する。
【０２８１】
移動端末機１００の動きと、ウェアラブルデバイス２００の動きとが同一であると判断される場合、ウェアラブルデバイス２００は、メッセージ情報を、移動端末機１００に伝送することができる（Ｓ２１８０）。
【０２８２】
移動端末機１００は、ウェアラブルデバイス２００から受信したメッセージ情報に基づいて、ウェアラブルデバイス２００で受信したメッセージを表示することができる（Ｓ２１９０）。
【０２８３】
図２２を参照すれば、ウェアラブルデバイス２００で受信したメッセージ関連アプリケーションは、移動端末機１００にあらかじめインストールされたメッセージアプリケーション２２３０でもあり、移動端末機１００は、メッセージアプリケーション２２３０を実行させ、ウェアラブルデバイス２００で受信したメッセージを表示することができる。
【０２８４】
それにより、ユーザは、ウェアラブルデバイス２００で受信したメッセージを移動端末機１００で確認しようとする場合、移動端末機１００において、メッセージアプリケーションを選択して実行させる必要なしに、簡単なモーション（例えば、移動端末機を手にして持ち上げるモーションなど）だけで、ウェアラブルデバイス２００で受信したメッセージを確認することができる。
【０２８５】
図２３は、本発明の一実施形態による、ウェアラブルデバイスで再生中であるコンテンツを、移動端末機で再生する方法を示すフローチャートであり、図２４は、図２３の方法について説明するための図面である。
【０２８６】
本発明の一実施形態による移動端末機１００は、移動端末機１００でセンシングされた移動端末機の動きと、移動端末機と連結されたウェアラブルデバイス２００でセンシングされたウェアラブルデバイスの動きとが同一である場合、ウェアラブルデバイス２００で再生中であるコンテンツを移動端末機１００で続けて再生することができる。以下で詳細に説明する。
【０２８７】
図２３を参照すれば、ウェアラブルデバイス２００は、コンテンツを再生することができる（Ｓ２３１０）。
【０２８８】
ウェアラブルデバイス２００は、ウェアラブルデバイス２００に保存されたコンテンツを再生するか、あるいはウェブサーバ、ＳＮＳサーバなど外部サーバにアップロードされたコンテンツを再生することができる。このとき、該コンテンツは、テキスト、イメージ、オーディオ、動画などを含んでもよい。
【０２８９】
例えば、図２４に図示されているように、ウェアラブルデバイス２００は、ウェアラブルデバイス２００に保存された動画２４１０、またはウェブサーバに保存されている動画をダウンロードして再生させることができる。
【０２９０】
再び図２３を参照すれば、ウェアラブルデバイス２００は、既設定の距離範囲内に存在する移動端末機１００に、識別情報を伝送することができる（Ｓ２３２０）。
【０２９１】
移動端末機１００は、移動端末機１００から、既設定の距離範囲内に存在するウェアラブルデバイス２００を認識することができる（Ｓ２３３０）。
【０２９２】
また、移動端末機１００は、認識されたウェアラブルデバイスが、移動端末機と連結されたウェアラブルデバイスであるか否かということを判断することができる（Ｓ２３４０）。
【０２９３】
一方、図２３のフローチャートには、ウェアラブルデバイス２００がウェブページを表示する段階（Ｓ２３１０）が２３２０段階（Ｓ２３２０）ないし２３４０段階（Ｓ２３４０）に先立つように図示しているが、それに限定されるものではなく、２３１０段階（Ｓ２３１０）は、２３２０段階（Ｓ２３２０）ないし２３４０段階（Ｓ２３４０）の間でも遂行され、２３４０段階（Ｓ２３４０）と２３５０段階（Ｓ２３５０）との間でも遂行される。
【０２９４】
移動端末機１００は、認識されたウェアラブルデバイス２００が、移動端末機１００と連結されたウェアラブルデバイスである場合、移動端末機１００の動きをセンシングし、移動端末機１００の動き情報を獲得することができる（Ｓ２３５０）。
【０２９５】
一方、ウェアラブルデバイス２００は、ウェアラブルデバイス２００の動きをセンシングし、ウェアラブルデバイス２００の動き情報を獲得することができる（Ｓ２３５５）。このとき、ウェアラブルデバイス２００は、移動端末機１００が移動端末機１００の動きをセンシングする段階（Ｓ２３５０）と同一時間に、ウェアラブルデバイス２００の動きをセンシングすることができる。
【０２９６】
移動端末機１００は、ウェアラブルデバイス２００に、ウェアラブルデバイス２００の動き情報を要請することができる（Ｓ２３６０）。
【０２９７】
ウェアラブルデバイス２００は、ウェアラブルデバイス２００でセンシングされたウェアラブルデバイス２００の動き情報を、移動端末機１００に伝送することができる（Ｓ２３６５）。
【０２９８】
移動端末機１００は、移動端末機１００の動きと、ウェアラブルデバイス２００の動きとが同一であるか否かということを判断することができる（Ｓ２３７０）。
【０２９９】
前述の、図２３の２３２０段階（Ｓ２３３０）ないし２３７０段階（Ｓ２３７０）は、図４の４２０段階（Ｓ４２０）ないし４８０段階（Ｓ４８０）に対応するので、具体的な説明は省略する。
【０３００】
移動端末機１００の動きと、ウェアラブルデバイス２００の動きとが同一であると判断される場合、ウェアラブルデバイス２００は、移動端末機１００で再生中であるコンテンツのコンテンツ再生情報を受信することができる（Ｓ２３８０）。
【０３０１】
このとき、コンテンツ再生情報は、コンテンツを再生させるための情報であり、コンテンツ種類、コンテンツ名、コンテンツ再生プログラム情報、コンテンツ再生プログラムバージョン情報、容量情報、コンテンツ再生時間情報、コンテンツが保存されている位置情報（例えば、移動端末機１００での保存位置情報、コンテンツが保存されているサーバアドレス情報など）などを含んでもよい。
【０３０２】
移動端末機１００は、受信したコンテンツ再生情報に基づいて、ウェアラブルデバイス２００で再生中であるコンテンツを続いて再生することができる（Ｓ２３９０）。
【０３０３】
例えば、移動端末機１００は、図２４に図示されているように、ウェアラブルデバイス２００で再生中であった動画２４１０と同一動画２４３０を移動端末機１００で再生することができる。このとき、移動端末機１００は、ウェアラブルデバイス２００から受信したコンテンツ再生時間情報（例えば、動画再生時間情報）に基づいて、ウェアラブルデバイス２００で最後に再生された部分から続けて再生させることができる。
【０３０４】
それにより、ユーザがウェアラブルデバイス２００を利用して動画を視聴してから、移動端末機１００を利用して動画を視聴することを希望する場合、移動端末機１００で動画を検索し、さらに再生させる必要なしに、モーション（例えば、移動端末機を手にして持ち上げるモーション）だけで、ウェアラブルデバイスで再生中であった動画を移動端末機で再生させることができる。
【０３０５】
図２５は、本発明の一実施形態による、ウェアラブルデバイスに表示されるコンテンツを移動端末機で表示する方法を示す図面である。
【０３０６】
図２５に図示されているように、ウェアラブルデバイス２００は、イメージを表示することができる。
【０３０７】
移動端末機１００は、図２３の２３５０段階（Ｓ２３５０）ないし２３７０段階（Ｓ２３７０）で説明したように、移動端末機１００の動きと、ウェアラブルデバイス２００の動きとが同一であると判断される場合、移動端末機１００は、ウェアラブルデバイス２００から、ウェアラブルデバイス２００で表示中であるイメージ情報を受信することができる。
【０３０８】
移動端末機１００は、受信したイメージ情報に基づいて、ウェアラブルデバイス２００で表示中であるイメージを表示することができる。例えば、図２５に図示されているように、ウェアラブルデバイス２００で表示中であったイメージ２５１０を拡大させ、拡大されたイメージ２５３０を移動端末機１００に表示することができる。
【０３０９】
それにより、ユーザが、ウェアラブルデバイス２００に表示されるイメージが、移動端末機１００で表示されることを希望する場合、移動端末機１００でイメージを検索して選択する必要なしに、モーション（例えば、移動端末機を手にして持ち上げるモーション）だけで、ウェアラブルデバイス２００で表示されたイメージを拡大し、移動端末機１００のディスプレイ部に表示することができる。
【０３１０】
図２６は、本発明の一実施形態による、ウェアラブルデバイスのデータを移動端末機に伝送する方法を示す図面である。
【０３１１】
本発明の一実施形態によるウェアラブルデバイス２００は、移動端末機１００に伝送するテキスト、イメージ、動画、オーディオなどを選択するユーザ入力を受信することができる。
【０３１２】
このとき、移動端末機１００に伝送するテキスト、イメージ、動画、オーディオなどは、ウェアラブルデバイス２００に保存されたテキスト、イメージ、動画、オーディオなどでもあり、ウェアラブルデバイス２００を利用して撮影されたイメージや、ウェアラブルデバイス２００を利用して録音した音声ファイルなどでもある。
【０３１３】
例えば、図２６に図示されているように、ウェアラブルデバイス２００ユーザは、移動端末機１００に伝送するイメージ２６１０を選択することができ、ウェアラブルデバイス２００は、選択されたイメージ２６１０をディスプレイ部に表示することができる。
【０３１４】
移動端末機１００は、移動端末機１００の動きと、ウェアラブルデバイス２００の動きとが同一であると判断される場合、ウェアラブルデバイスのデータを移動端末機に伝送させる。
【０３１５】
移動端末機１００は、受信したデータの種類に基づいて、受信したデータを保存する位置を決定することができる。例えば、図２６のように、イメージ２６１０データを受信した場合、移動端末機１００は、受信したイメージ２６３０を、写真アプリケーション（例えば、ギャラリなど）に保存することができる。このとき、ウェアラブルデバイス２００から受信したデータを自動的に保存するか、あるいはユーザの保存要請によって保存することができる。
【０３１６】
図２７は、本発明の一実施形態による、移動端末機でセンシングされた生体信号と、ウェアラブルデバイスでセンシングされた生体信号とが同一である場合、移動端末機が既設定の動作を遂行する方法を示すフローチャートである。図２８は、図２７の方法について説明するための図面である。
【０３１７】
図２７を参照すれば、ウェアラブルデバイス２００は、既設定の距離範囲内に存在する移動端末機１００に、識別情報を伝送することができる（Ｓ２７１０）。
【０３１８】
移動端末機１００は、移動端末機１００から、既設定の距離範囲内に存在するウェアラブルデバイス２００を認識することができる（Ｓ２７２０）。
【０３１９】
また、移動端末機１００は、認識されたウェアラブルデバイスが、移動端末機と連結されたウェアラブルデバイスであるか否かということを判断することができる（Ｓ２７３０）。
【０３２０】
図２７の２７１０段階（Ｓ２７１０）ないし２７３０段階（Ｓ２７３０）は、図４の４２０段階（Ｓ４２０）ないし４４０段階（Ｓ４４０）に対応するので、具体的な説明は省略する。
【０３２１】
移動端末機１００は、認識されたウェアラブルデバイス２００が、移動端末機１００に連結されたウェアラブルデバイス２００である場合、移動端末機１００ユーザの生体信号をセンシングし、生体情報を獲得することができる（Ｓ２７４０）。
【０３２２】
例えば、移動端末機１００は、移動端末機１００ユーザの生体信号をセンシングすることができる生体信号センサを含んでもよい。このとき、生体信号センサは、図２８に図示されているように、ユーザが移動端末機１００を手にしている場合、ユーザの手に接触される部分に含まれ、ユーザが移動端末機１００を手にする場合、自動的に生体信号がセンシングされるように構成される。
【０３２３】
それにより、移動端末機１００は、生体信号センサを利用して、ユーザの体温、脈拍、心電図、心臓拍動数、血圧などを測定することができる。
【０３２４】
また、移動端末機１００と連結されたウェアラブルデバイス２００は、ウェアラブルデバイス２００着用者の生体信号をセンシングし、生体情報を獲得することができる（Ｓ２７４５）。
【０３２５】
例えば、ウェアラブルデバイス２００は、ユーザの生体信号をセンシングすることができる生体信号センサを含んでもよい。このとき、生体信号センサは、図２８に図示されているように、ユーザがウェアラブルデバイス２００を着用している場合、ユーザの身体と接触する部分に含まれ、ユーザがウェアラブルデバイス２００を着用する場合、自動的に生体信号が測定されるように構成される。
【０３２６】
それにより、ウェアラブルデバイス２００は、生体信号センサを利用して、ユーザの体温、脈拍、心電図、心臓拍動数、血圧などを測定することができる。
【０３２７】
一方、移動端末機１００は、ウェアラブルデバイス２００に、ウェアラブルデバイス２００着用者の生体情報を要請することができる（Ｓ２７５０）。
【０３２８】
ウェアラブルデバイス２００は、ウェアラブルデバイス２００着用者の生体情報を、移動端末機１００に伝送することができる（Ｓ２７６０）。例えば、ウェアラブルデバイス２００は、近距離通信を利用して、ウェアラブルデバイス２００でセンシングされた生体信号情報を、移動端末機１００に伝送することができる。このとき、該近距離通信は、Ｗｉ−Ｆｉ方式、ＮＦＣ方式、ブルートゥース方式、赤外線方式、ジグビー方式などを含んでもよいが、それらに限定されるものではない。
【０３２９】
移動端末機１００は、移動端末機１００ユーザの生体情報と、ウェアラブルデバイス２００着用者の生体情報とを比較し、移動端末機１００ユーザの生体信号と、ウェアラブルデバイス２００着用者の生体信号とが同一であるか否かということを判断することができる（Ｓ２７７０）。
【０３３０】
このとき、移動端末機１００ユーザの生体情報と、ウェアラブルデバイス２００着用者の生体情報は、同一種類の生体情報でもある。例えば、移動端末機１００ユーザの生体情報が、移動端末機１００ユーザの脈拍を測定した値である場合、ウェアラブルデバイス２００着用者の生体情報も、ウェアラブルデバイス２００着用者の脈拍を測定した値でもある。また、移動端末機１００ユーザの生体情報が移動端末機１００ユーザの心電図を測定した値の場合、ウェアラブルデバイス２００着用者の生体情報も、ウェアラブルデバイス２００着用者の心電図を測定した値でもある。
【０３３１】
また、移動端末機１００ユーザの生体信号と、ウェアラブルデバイス２００着用者の生体信号とが同一であるということは、物理的に同一を意味するものではなく、移動端末機１００ユーザの生体情報と、ウェアラブルデバイス２００着用者の生体情報とが所定範囲内で一致するということを意味する。
【０３３２】
例えば、移動端末機１００は、移動端末機１００ユーザの生体情報が第１値として測定された場合、ウェアラブルデバイス２００着用者の生体情報が、第１値±既設定の誤差値の範囲内である場合、移動端末機１００ユーザの生体情報と、ウェアラブルデバイス２００着用者の生体情報は、同一であると判断することができる。
【０３３３】
このとき、移動端末機１００ユーザの生体情報と、ウェアラブルデバイス２００着用者の生体情報とが同一である場合、図２８に図示されているように、移動端末機１００は、同一ユーザが移動端末機１００を手に取り、移動端末機１００と連結されたウェアラブルデバイス２００を手首に着用したと判断することができる。
【０３３４】
移動端末機１００は、移動端末機１００ユーザの生体情報と、ウェアラブルデバイス２００着用者の生体情報とが同一であると判断した場合、移動端末機１００において、既設定の動作を遂行することができる（Ｓ２７８０）。このとき、該既設定の動作は、ウェアラブルデバイスで遂行されている動作に係わる動作でもある。
【０３３５】
例えば、図１０ないし図２６で説明したような動作を遂行することができる。ウェアラブルデバイス２００のロッキングモードが解除された場合、移動端末機１００は、移動端末機１００のロッキングモードを解除することができる。または、ウェアラブルデバイス２００でユーザ認証がなされた場合、移動端末機１００でも、ユーザ認証がなされる。または、ウェアラブルデバイス２００がウェブページを表示している場合、移動端末機１００は、ウェアラブルデバイス２００に表示されるウェブページと同一ウェブページを表示することができる。または、ウェアラブルデバイス２００が通話連結要請を受信した場合、移動端末機１００は、通話連結を行うことができる。または、ウェアラブルデバイス２００を利用して通話中である場合、移動端末機１００を利用して通話を行うことができる。または、ウェアラブルデバイス２００でコンテンツを再生している場合、移動端末機１００は、ウェアラブルデバイス２００で再生中であるコンテンツを続けて再生することができる。
【０３３６】
図２９は、本発明の一実施形態による、移動端末機でセンシングされたタッチパターンと、ウェアラブルデバイスで撮影されたパターンとが同一である場合、移動端末機で既設定の動作を遂行する方法を示すフローチャートである。図３０は、図２９の方法について説明するための図面である。
【０３３７】
図２９を参照すれば、ウェアラブルデバイス２００は、既設定の距離範囲内に存在する移動端末機１００に、識別情報を伝送することができる（Ｓ２９１０）。
【０３３８】
移動端末機１００は、移動端末機１００から、既設定の距離範囲内に存在するウェアラブルデバイス２００を認識することができる（Ｓ２９２０）。
【０３３９】
また、移動端末機１００は、認識されたウェアラブルデバイスが、移動端末機と連結されたウェアラブルデバイスであるか否かということを判断することができる（Ｓ２７３０）。
【０３４０】
図２９の２９１０段階（Ｓ２９１０）ないし２９３０段階（Ｓ２９３０）は、図４の４２０段階（Ｓ４２０）ないし４４０段階（Ｓ４４０）に対応するので、具体的な説明は省略する。
【０３４１】
移動端末機１００は、認識されたウェアラブルデバイス２００が、移動端末機１００と連結されたウェアラブルデバイス２００である場合、移動端末機１００は、ユーザが入力したタッチパターンをセンシングし、タッチパターン情報を獲得することができる（Ｓ２９４０）。
【０３４２】
移動端末機１００は、タッチスクリーンモジュールを含んでもよく、タッチスクリーン上のタッチジェスチャを感知し、入力されるタッチパターン（以下、第１パターンとする）をセンシングすることができる。このとき、移動端末機１００は、タッチスクリーンのタッチまたは近接タッチを感知するために、タッチスクリーンの内部または近くに、多様なセンサを具備することができる。
【０３４３】
図３０に図示されているように、ユーザは、指やタッチツールなどを利用して、移動端末機１００のタッチスクリーンで構成されたディスプレイ部に、タッチパターン（第１パターン）を入力することができる。
【０３４４】
例えば、ユーザが、移動端末機１００のディスプレイ部に星模様を入力した場合、移動端末機１００は、ユーザが入力したタッチパターンの形態、大きさなどに係わる情報（例えば、ユーザが入力したタッチパターンが星模様であるという情報）を含むタッチパターン情報（第１パターン情報）を獲得することができる。
【０３４５】
再び図２９を参照すれば、移動端末機１００ユーザがカメラを含むウェアラブルデバイス２００を着用した状態で、移動端末機１００にタッチパターンを入力する場合、ウェアラブルデバイス２００は、移動端末機１００ユーザのタッチジェスチャ、移動端末機１００に表示されるタッチパターン（第１パターン）をキャプチャまたは撮影することができる（Ｓ２９４５）。
【０３４６】
例えば、図３０を参照すれば、ウェアラブルデバイス２００は、頭部分に着用することができるヘッドマウントディスプレイ（ＨＭＤ：head mounted display）でも構成されるが、それに限定されるものではない。また、ヘッドマウントディスプレイは、メガネ、ヘルメット、帽子などを含んでもよいが、それらに限定されるものではない。
【０３４７】
また、ウェアラブルデバイス２００は、ウェアラブルデバイス前面部にカメラを含み、ユーザがウェアラブルデバイス２００を着用した状態で、移動端末機１００を見る場合、移動端末機ユーザのタッチジェスチャ、移動端末機に表示されるタッチパターンを撮影するように構成される。
【０３４８】
例えば、ウェアラブルデバイス２００は、ウェアラブルデバイス２００が撮影したパターンの形態、大きさなどに係わる情報（例えば、ウェアラブルデバイス２００が撮影したパターンが星模様であるという情報）を含む撮影パターン情報（第２パターン情報）を獲得することができる。
【０３４９】
一方、移動端末機１００は、ウェアラブルデバイス２００に、キャプチャまたは撮影されたパターン情報（第２パターン情報）を要請することができる（Ｓ２９５０）。
【０３５０】
ウェアラブルデバイス２００は、撮影パターン情報（第２パターン情報）を、移動端末機１００に伝送することができる（Ｓ２９６０）。例えば、ウェアラブルデバイス２００は、近距離通信を利用して、移動端末機１００に、撮影パターン情報を伝送することができる。このとき、該近距離通信は、Ｗｉ−Ｆｉ方式、ＮＦＣ方式、ブルートゥース方式、赤外線方式、ジグビー方式などを含んでもよいが、それらに限定されるものではない。
【０３５１】
移動端末機１００は、移動端末機１００で獲得した第１パターン情報と、ウェアラブルデバイス２００から受信した第２パターン情報とを比較し、移動端末機１００のタッチパターン（第１パターン）と、ウェアラブルデバイス２００のキャプチャまたは撮影されたパターン（第２パターン）とが同一であるか否かということを判断することができる（Ｓ２９７０）
【０３５２】
移動端末機１００のタッチパターン（第１パターン）と、ウェアラブルデバイス２００の撮影パターン（第２パターン）とが同一であるということは、物理的に同一ということを意味するものではなく、移動端末機１００タッチパターン（第１パターン）と、ウェアラブルデバイス２００撮影パターン（第２パターン）とが所定範囲内で一致するということを意味する。
【０３５３】
このとき、第１パターンと第２パターンとが同一である場合、図３０に図示されているように、移動端末機１００は、同一ユーザが移動端末機１００を手に取り、移動端末機１００と連結されたウェアラブルデバイス２００を頭部分に着用していると判断することができる。
【０３５４】
移動端末機１００は、第１パターンと第２パターンとが同一であると判断した場合、移動端末機１００において、既設定の動作を遂行することができる（Ｓ２９８０）。
【０３５５】
図２９の２９８０段階（Ｓ２９８０）は、図２７の２７８０段階（Ｓ２７８０）に対応するので、具体的な説明は省略する。
【０３５６】
図３１は、本発明の一実施形態による、移動端末機で撮影されたユーザ映像と、ウェアラブルデバイスで撮影されたユーザ映像とが同一である場合、移動端末機において、既設定の動作を遂行する方法を示すフローチャートである。図３２は、図３１の方法について説明するための図面である。
【０３５７】
図３１を参照すれば、ウェアラブルデバイス２００は、既設定の距離範囲内に存在する移動端末機１００に、識別情報を伝送することができる（Ｓ３１１０）。
【０３５８】
移動端末機１００は、移動端末機１００から、既設定の距離範囲内に存在するウェアラブルデバイス２００を認識することができる（Ｓ３１２０）。
【０３５９】
また、移動端末機１００は、認識されたウェアラブルデバイスが、移動端末機と連結されたウェアラブルデバイスであるか否かということを判断することができる（Ｓ３１３０）。
【０３６０】
図３１の３１１０段階（Ｓ３１１０）ないし３１３０段階（Ｓ３１３０）は、図４の４２０段階（Ｓ４２０）ないし４４０段階（Ｓ４４０）に対応するので、具体的な説明は省略する。
【０３６１】
移動端末機１００は、認識されたウェアラブルデバイス２００が、移動端末機１００に連結されたウェアラブルデバイス２００である場合、移動端末機１００ユーザの顔を撮影し、ユーザ映像（第１映像）を獲得することができる（Ｓ３１４０）。
【０３６２】
例えば、移動端末機１００は、移動端末機１００ユーザの顔を撮影することができるカメラを含んでもよく、該カメラは、図３２に図示されているように、移動端末機１００の前面部に配置され、移動端末機１００を手にしているユーザの顔を容易に撮影するように構成される。
【０３６３】
再び図３１を参照すれば、移動端末機１００と連結されたウェアラブルデバイス２００も、カメラなどを利用して、ウェアラブルデバイス２００を着用しているユーザの顔を撮影し、ユーザ映像（第２映像）を獲得することができる（Ｓ３１４５）。
【０３６４】
このとき、ウェアラブルデバイス２００は、移動端末機１００が、移動端末機１００ユーザを撮影する段階（Ｓ３１４０）と同一時間に、ウェアラブルデバイス２００ユーザを撮影することができる。
【０３６５】
一方、移動端末機１００は、ウェアラブルデバイス２００に、ウェアラブルデバイス２００で撮影されたユーザ映像を要請することができる（Ｓ３１５０）。
【０３６６】
ウェアラブルデバイス２００は、撮影されたユーザ映像（第２映像）を移動端末機に伝送することができる（Ｓ３１６０）。例えば、ウェアラブルデバイス２００は、近距離通信を利用して、移動端末機１００に第２映像を伝送することができる（Ｓ３１６０）。例えば、ウェアラブルデバイス２００は、近距離通信を利用して、ウェアラブルデバイス２００でセンシングされたユーザ映像（第２映像）を、移動端末機１００に伝送することができる。このとき、近距離通信は、Ｗｉ−Ｆｉ方式、ＮＦＣ方式、ブルートゥース方式、赤外線方式、ジグビー方式などを含んでもよいが、それらに限定されるものではない。
【０３６７】
移動端末機１００は、移動端末機で撮影されたユーザ映像（第１映像）と、ウェアラブルデバイスから受信した第２映像とを比較し、移動端末機１００のユーザと、ウェアラブルデバイス２００ユーザとが同一人であるか否かということを判断することができる（Ｓ３１７０）。
【０３６８】
移動端末機１００は、第１映像に含まれるユーザの顔と、第２映像に含まれるユーザの顔とが同一人の顔であるか否かということを判断することができる。例えば、移動端末機１００は、第１映像及び第２映像に含まれたユーザの顔の対称的構図、顔の主要部分である目、鼻、口の距離や様子、目の色相などを分析し、第１映像に含まれた顔と、第２映像に含まれた顔とが同一であるか否かということを判断することができる。
【０３６９】
このとき、移動端末機１００のユーザと、ウェアラブルデバイス２００ユーザとが同一人であると判断された場合、図３２に図示されているように、移動端末機１００は、同一ユーザが移動端末機１００を手に取り、移動端末機１００と連結されたウェアラブルデバイス２００を着用していると判断することができる。
【０３７０】
例えば、図３２に図示されているように、ウェアラブルデバイス２００が、ユーザ手首に着用することができる時計によって構成される場合、移動端末機１００を手にしているユーザが、ウェアラブルデバイス２００を手首に着用しるならば、移動端末機１００及びウェアラブルデバイス２００において、同一ユーザが撮影される。
【０３７１】
移動端末機１００は、移動端末機１００のユーザと、ウェアラブルデバイス２００ユーザとが同一人であると判断された場合、移動端末機１００において、既設定の動作を遂行することができる（Ｓ３１８０）。
【０３７２】
図３１の３１８０段階（Ｓ３１８０）は、図２７の２７８０段階（Ｓ２７８０）に対応するので、具体的な説明は省略する。
【０３７３】
図３３は、本発明の一実施形態による、移動端末機の動作方法を示すフローチャートである。
【０３７４】
図３３を参照すれば、本発明の一実施形態による移動端末機は、共用モードで動作することができる（Ｓ３３１０）。例えば、共用モードは、既設定のアプリケーションだけホームスクリーンに表示され、一部アプリケーション（例えば、ギャラリアプリケーション、連絡先アプリケーション、メッセージアプリケーションなど）の実行が制限されるモードでもある。
【０３７５】
また、アプリケーション実行時、一部機能だけ遂行することができるか、あるいは一部内容だけ表示されるモードでもある。これについては、図３８ないし図４１で、詳細に後述する。
【０３７６】
移動端末機１００は、移動端末機１００と連結されたウェアラブルデバイス２００が、移動端末機１００ユーザに着用されているか否かということを判断することができる（Ｓ３３２０）。
【０３７７】
判断結果、移動端末機１００と連結されたウェアラブルデバイス２００が、移動端末機１００ユーザに着用されている場合、移動端末機１００は、移動端末機１００の動作モードを、共用モードから個人モードに転換することができる（Ｓ３３３０）。
【０３７８】
例えば、個人モードは、共用モードで表示されていなかったアプリケーションをホームスクリーンに表示することができ、共用モードで実行が制限される一部アプリケーションの実行が可能なモードでもある。
【０３７９】
また、アプリケーション実行時、共用モードで制限された機能を遂行することができ、共用モードで表示が制限された内容を表示するモードでもある。これについては、図３８ないし図４１において、詳細に後述する。
【０３８０】
図３４ないし図３７は、本発明の一実施形態による、移動端末機と連結されたウェアラブルデバイスが、移動端末機ユーザに着用されているか否かということによって、共用モードを個人モードに転換する方法を示すフローチャートである。
【０３８１】
図３４は、本発明の一実施形態による、移動端末機でセンシングされた動きと、ウェアラブルデバイスでセンシングされた動きとが同一である場合、移動端末機の動作状態を共用モードから個人モードに転換する方法を示すフローチャートである。
【０３８２】
図３４を参照すれば、移動端末機１００は、共用モードでもある（Ｓ３４１０）。図３３で説明したように、共用モードは、既設定のアプリケーションだけホームスクリーンに表示され、一部アプリケーション（例えば、ギャラリアプリケーション、電話帳アプリケーション、メッセージアプリケーションなど）の実行が制限されるモードでもある。また、アプリケーション実行時、一部機能だけ遂行することができるか、あるいは一部内容だけ表示されるモードでもある。
【０３８３】
一方、本発明の一実施形態によるウェアラブルデバイス２００は、既設定の距離範囲内に存在する移動端末機１００に、識別情報を伝送することができる（Ｓ３４２０）。
【０３８４】
例えば、移動端末機１００とウェアラブルデバイス２００とが、既設定の距離範囲内に存在する場合、移動端末機１００とウェアラブルデバイス２００は、近距離通信を利用して、互いにユーザ識別情報またはデバイス識別情報を送受信することができる。
【０３８５】
それにより、移動端末機１００は、移動端末機１００から、既設定の距離範囲内に存在するウェアラブルデバイス２００を認識することができる（Ｓ３４３０）。
【０３８６】
移動端末機１００は、認識されたウェアラブルデバイス２００が、移動端末機１００と連結されたウェアラブルデバイスであるか否かということを判断することができる（Ｓ３４４０）。
【０３８７】
例えば、移動端末機１００は、ウェアラブルデバイス２００から受信した識別情報を、移動端末機１００に登録されたウェアラブルデバイス２００の識別情報と比較し、認識されたウェアラブルデバイス２００が、移動端末機１００に連結されたウェアラブルデバイス２００であるか否かということを判断することができる。
【０３８８】
移動端末機１００は、認識されたウェアラブルデバイスが、移動端末機に連結されたウェアラブルデバイスである場合、移動端末機１００の動きをセンシングし、動き情報を獲得することができる（Ｓ３４５０）。
【０３８９】
例えば、移動端末機１００は、地磁気センサ、位置センサ、加速度センサ、近接センサ、ジャイロスコープセンサなどを利用して、移動端末機１００が動く方向、速度、速度の変化などを測定することができる。
【０３９０】
一方、ウェアラブルデバイス２００は、ウェアラブルデバイス２００の動きをセンシングし、動き情報を獲得することができる（Ｓ３４５５）。このとき、ウェアラブルデバイス２００は、移動端末機１００が移動端末機１００の動きをセンシングする段階（Ｓ３４５０）と同一時間に、ウェアラブルデバイス２００の動きをセンシングし、ウェアラブルデバイス２００の動き情報を獲得することができる。
【０３９１】
例えば、ウェアラブルデバイス２００は、地磁気センサ、位置センサ、加速度センサ、近接センサ、ジャイロスコープセンサなどを利用して、ウェアラブルデバイス２００が動く方向、速度、速度の変化などを測定することができる。
【０３９２】
一方、移動端末機１００は、ウェアラブルデバイス２００に、ウェアラブルデバイス２００の動き情報を要請することができる（Ｓ３４６０）。
【０３９３】
ウェアラブルデバイス２００は、ウェアラブルデバイス２００でセンシングされたウェアラブルデバイス２００の動き情報を、移動端末機１００に伝送することができる（Ｓ３４７０）。
【０３９４】
移動端末機１００は、移動端末機１００の動き情報と、受信したウェアラブルデバイス２００の動き情報とを比較し、移動端末機１００の動きと、ウェアラブルデバイス２００の動きとが同一であるか、あるいは類似しているかということを判断することができる（Ｓ３４８０）。
【０３９５】
このとき、移動端末機１００の動きと、ウェアラブルデバイスの動きとが同一であるという意味は、物理的に完全に同一であるということを意味するものではなく、移動端末機１００の動き情報（例えば、移動端末機１００の動き方向、大きさ、速度など）と、ウェアラブルデバイス２００の動き情報（例えば、ウェアラブルデバイス２００の動き方向、大きさ、速度など）とが所定範囲内で一致するということを意味する。
【０３９６】
移動端末機１００は、移動端末機１００の動きと、ウェアラブルデバイス２００の動きとが同一であると判断される場合、移動端末機１００ユーザと、ウェアラブルデバイス２００着用者とが同一ユーザであると判断することができ、移動端末機の動作状態を、共用モードから個人モードに転換することができる（Ｓ３４９０）。
【０３９７】
図３３で説明したように、個人モードは、共用モードで表示されていなかったアプリケーションをホームスクリーンに表示することができ、共用モードで実行が制限される一部アプリケーションの実行が可能なモードでもある。また、アプリケーション実行時、共用モードで制限された機能を遂行することができ、共用モードで表示が制限された内容を表示するモードでもある。
【０３９８】
図３５は、本発明の一実施形態による、移動端末機でセンシングされた生体信号と、ウェアラブルデバイスでセンシングされた生体信号とが同一である場合、移動端末機の動作状態を、共用モードから個人モードに転換する方法を示すフローチャートである。
【０３９９】
図３５を参照すれば、移動端末機１００は、共用モードでもある（Ｓ３５１０）。
【０４００】
図３５を参照すれば、ウェアラブルデバイス２００は、既設定の距離範囲内に存在する移動端末機１００に、識別情報を伝送することができる（Ｓ３５２０）。
【０４０１】
移動端末機１００は、移動端末機１００から、既設定の距離範囲内に存在するウェアラブルデバイス２００を認識することができる（Ｓ３５３０）。
【０４０２】
移動端末機１００は、認識されたウェアラブルデバイス２００が、移動端末機１００と連結されたウェアラブルデバイスであるか否かということを判断することができる（Ｓ３５４０）。
【０４０３】
図３５の３５１０段階（Ｓ３５１０）ないし３５４０段階（Ｓ３５４０）は、図３４の３４１０段階（Ｓ３４１０）ないし３４４０段階（Ｓ３４４０）に対応するので、具体的な説明は省略する。
【０４０４】
移動端末機１００は、認識されたウェアラブルデバイス２００が、移動端末機１００に連結されたウェアラブルデバイス２００である場合、移動端末機１００ユーザの生体信号をセンシングし、生体情報を獲得することができる（Ｓ３５５０）。
【０４０５】
例えば、移動端末機１００は、移動端末機１００ユーザの生体信号をセンシングすることができる生体信号センサを含んでもよい。このとき、生体信号センサは、ユーザが移動端末機１００を手にしている場合、ユーザの手に接触される部分に含まれ、ユーザが移動端末機１００を手にする場合、自動的に生体信号がセンシングされるように構成される。
【０４０６】
それにより、移動端末機１００は、生体信号センサを利用して、ユーザの体温、脈拍、心電図、心臓拍動数、血圧などを測定することができる。
【０４０７】
また、移動端末機１００と連結されたウェアラブルデバイス２００は、ウェアラブルデバイス２００着用者の生体信号をセンシングし、生体情報を獲得することができる（Ｓ３５５５）。
【０４０８】
例えば、ウェアラブルデバイス２００は、ユーザの生体信号をセンシングすることができる生体信号センサを含んでもよい。このとき、生体信号センサは、ユーザがウェアラブルデバイス２００を着用している場合、ユーザの身体と接触する部分に含まれ、ユーザがウェアラブルデバイス２００を着用する場合、自動的に生体信号が測定されるように構成される。
【０４０９】
それにより、ウェアラブルデバイス２００は、生体信号センサを利用して、ユーザの体温、脈拍、心電図、心臓拍動数、血圧などを測定することができる。
【０４１０】
一方、移動端末機１００は、ウェアラブルデバイス２００に、ウェアラブルデバイス２００着用者の生体情報を要請することができる（Ｓ３５６０）。
【０４１１】
ウェアラブルデバイス２００は、ウェアラブルデバイス２００着用者の生体情報を、移動端末機１００に伝送することができる（Ｓ３５７０）。
【０４１２】
移動端末機１００は、移動端末機１００ユーザの生体情報と、ウェアラブルデバイス２００着用者の生体情報とを比較し、移動端末機１００ユーザの生体信号と、ウェアラブルデバイス２００着用者の生体信号とが同一であるか否かということを判断することができる（Ｓ３５８０）。
【０４１３】
このとき、移動端末機１００ユーザの生体情報と、ウェアラブルデバイス２００着用者の生体情報は、同一種類の生体情報でもある。例えば、移動端末機１００ユーザの生体情報が、移動端末機１００ユーザの脈拍を測定した値である場合、ウェアラブルデバイス２００着用者の生体情報も、ウェアラブルデバイス２００着用者の脈拍を測定した値でもある。また、移動端末機１００ユーザの生体情報が、移動端末機１００ユーザの心電図を測定した値である場合、ウェアラブルデバイス２００着用者の生体情報も、ウェアラブルデバイス２００着用者の心電図を測定した値でもある。
【０４１４】
また、移動端末機１００ユーザの生体信号と、ウェアラブルデバイス２００着用者の生体信号とが同一であるということは、物理的に同一であるということを意味するものではなく、移動端末機１００ユーザの生体情報と、ウェアラブルデバイス２００着用者の生体情報とが所定範囲内で一致するということを意味する。
【０４１５】
例えば、移動端末機１００は、移動端末機１００ユーザの生体情報が第１値として測定された場合、ウェアラブルデバイス２００着用者の生体情報が、第１値±既設定の誤差値の範囲内である場合、移動端末機１００ユーザの生体情報と、ウェアラブルデバイス２００着用者の生体情報は、同一であると判断することができる。
【０４１６】
移動端末機１００は、移動端末機１００ユーザの生体信号と、ウェアラブルデバイス２００着用者の生体信号とが同一であると判断した場合、移動端末機１００ユーザと、ウェアラブルデバイス２００着用者とが同一ユーザであると判断することができ、移動端末機の動作状態を、共用モードから個人モードに転換することができる（Ｓ３５９０）。
【０４１７】
図３５の３５９０段階（Ｓ３５９０）は、図３４の３４９０段階（Ｓ３４９０）に対応するので、具体的な説明は省略する。
【０４１８】
図３６は、本発明の一実施形態による、移動端末機でセンシングされたタッチパターンと、ウェアラブルデバイスで撮影されたパターンとが同一である場合、移動端末機の動作状態を、共用モードから個人モードに転換する方法を示すフローチャートである。
【０４１９】
図３６を参照すれば、移動端末機１００は、共用モードでもある（Ｓ３６１０）。
【０４２０】
図３６を参照すれば、ウェアラブルデバイス２００は、既設定の距離範囲内に存在する移動端末機１００に、識別情報を伝送することができる（Ｓ３６２０）。
【０４２１】
移動端末機１００は、移動端末機１００から、既設定の距離範囲内に存在するウェアラブルデバイス２００を認識することができる（Ｓ３６３０）。
【０４２２】
移動端末機１００は、認識されたウェアラブルデバイス２００が、移動端末機１００と連結されたウェアラブルデバイス２００であるか否かということを判断することができる（Ｓ３６４０）。
【０４２３】
図３６の３６１０段階（Ｓ３６１０）ないし３６４０段階（Ｓ３６４０）は、図３４の３４１０段階（Ｓ３４１０）ないし３４４０段階（Ｓ３４４０）に対応するので、具体的な説明は省略する。
【０４２４】
移動端末機１００は、認識されたウェアラブルデバイス２００が、移動端末機１００と連結されたウェアラブルデバイス２００である場合、移動端末機１００は、ユーザが入力したタッチパターンをセンシングし、タッチパターン情報を獲得することができる（Ｓ３６５０）。
【０４２５】
移動端末機１００は、タッチスクリーンモジュールを含んでもよく、タッチスクリーン上のタッチジェスチャを感知し、入力されるタッチパターン（以下、第１パターンとする）をセンシングすることができる。このとき、移動端末機１００は、タッチスクリーンのタッチまたは近接タッチを感知するために、タッチスクリーンの内部または近くに、多様なセンサを具備することができる。
【０４２６】
また、ユーザは、指やタッチツールなどを利用して、移動端末機１００のタッチスクリーンで構成されたディスプレイ部に、タッチパターン（第１パターン）を入力することができる。
【０４２７】
例えば、ユーザが、移動端末機１００のディスプレイ部に星模様を入力した場合、移動端末機１００は、ユーザが入力したタッチパターンの形態、大きさなどに係わる情報（例えば、ユーザが入力したタッチパターンが星模様であるという情報）を含むタッチパターン情報（第１パターン情報）を獲得することができる。
【０４２８】
また、移動端末機１００ユーザが、カメラを含むウェアラブルデバイス２００を着用した状態で、移動端末機１００にタッチパターンを入力する場合、ウェアラブルデバイス２００は、移動端末機１００ユーザのタッチジェスチャ、移動端末機１００に表示されるタッチパターン（第１パターン）を撮影することができる（Ｓ３６５５）。
【０４２９】
例えば、ウェアラブルデバイス２００は、頭部分に着用することができるヘッドマウントディスプレイ（ＨＭＤ）によっても構成されるが、それに限定されるものではない。また、ヘッドマウントディスプレイは、メガネ、ヘルメット、帽子などを含んでもよいが、それらに限定されるものではない。
【０４３０】
また、ウェアラブルデバイス２００は、ウェアラブルデバイス前面部にカメラを含み、ユーザが、ウェアラブルデバイス２００を着用した状態で、移動端末機１００を見る場合、移動端末機ユーザのタッチジェスチャ、移動端末機に表示されるタッチパターンを撮影するように構成される。
【０４３１】
例えば、ウェアラブルデバイス２００は、ウェアラブルデバイス２００が撮影したパターンの形態、大きさなどに係わる情報（例えば、ウェアラブルデバイス２００が撮影したパターンが星模様であるという情報）を含む撮影パターン情報（第２パターン情報）を獲得することができる。
【０４３２】
一方、移動端末機１００は、ウェアラブルデバイス２００に、撮影パターン情報（第２パターン情報）を要請することができる（Ｓ３６６０）。
【０４３３】
ウェアラブルデバイス２００は、撮影パターン情報（第２パターン情報）を移動端末機１００に伝送することができる（Ｓ３６７０）
【０４３４】
移動端末機１００は、移動端末機１００で獲得した第１パターン情報と、ウェアラブルデバイス２００から受信した第２パターン情報とを比較し、移動端末機１００のタッチパターン（第１パターン）と、ウェアラブルデバイス２００の撮影パターン（第２パターン）とが同一であるか否かということを判断することができる（Ｓ３６８０）
【０４３５】
移動端末機１００のタッチパターン（第１パターン）と、ウェアラブルデバイス２００の撮影パターン（第２パターン）とが同一であるということは、物理的に同一を意味するものではなく、移動端末機１００タッチパターン（第１パターン）と、ウェアラブルデバイス２００撮影パターン（第２パターン）とが所定範囲内で一致するということを意味する。
【０４３６】
移動端末機１００は、第１パターンと第２パターンとが同一であると判断した場合、移動端末機１００ユーザと、ウェアラブルデバイス２００着用者とが同一ユーザであると判断することができ、移動端末機の動作状態を、共用モードから個人モードに転換することができる（Ｓ３６９０）。
【０４３７】
図３６の３６９０段階（Ｓ３６９０）は、図３４の３４９０段階（Ｓ３４９０）に対応するので、具体的な説明は省略する。
【０４３８】
図３７は、本発明の一実施形態による、移動端末機で撮影されたユーザ映像と、ウェアラブルデバイスで撮影されたユーザ映像とが同一である場合、移動端末機の動作状態を、共用モードから個人モードに転換する方法を示すフローチャートである。
【０４３９】
図３７を参照すれば、移動端末機１００は、共用モードでもある（Ｓ３７１０）。
【０４４０】
図３７を参照すれば、ウェアラブルデバイス２００は、既設定の距離範囲内に存在する移動端末機１００に、識別情報を伝送することができる（Ｓ３７２０）。
【０４４１】
移動端末機１００は、移動端末機１００から、既設定の距離範囲内に存在するウェアラブルデバイス２００を認識することができる（Ｓ３７３０）。
【０４４２】
移動端末機１００は、認識されたウェアラブルデバイス２００が、移動端末機１００と連結されたウェアラブルデバイスであるか否かということを判断することができる（Ｓ３７４０）。
【０４４３】
図３７の３７１０段階（Ｓ３７１０）ないし３７４０段階（Ｓ３７４０）は、図３４の３４１０段階（Ｓ３４１０）ないし３４４０段階（Ｓ３４４０）に対応するので、具体的な説明は省略する。
【０４４４】
移動端末機１００は、認識されたウェアラブルデバイス２００が移動端末機１００に連結されたウェアラブルデバイス２００である場合、移動端末機１００ユーザの顔を撮影し、ユーザ映像（第１映像）を獲得することができる（Ｓ３７５０）。
【０４４５】
例えば、移動端末機１００は、移動端末機１００ユーザの顔を撮影することができるカメラを含んでもよく、該カメラは、移動端末機１００の前面部に配置され、移動端末機１００を手にしているユーザの顔を容易に撮影するように構成される。
【０４４６】
また、移動端末機１００と連結されたウェアラブルデバイス２００も、カメラなどを利用して、ウェアラブルデバイス２００を着用しているユーザの顔を撮影し、ユーザ映像（第２映像）を獲得することができる（Ｓ３７５５）。
【０４４７】
一方、移動端末機１００は、ウェアラブルデバイス２００に、ウェアラブルデバイス２００ユーザ映像を要請することができる（Ｓ３７６０）。
【０４４８】
ウェアラブルデバイス２００は、ウェアラブルデバイス２００を着用しているユーザの撮影されたユーザ映像を、移動端末機１００に伝送することができる（Ｓ３７７０）。
【０４４９】
移動端末機１００は、移動端末機で撮影されたユーザ映像（第１映像）と、ウェアラブルデバイスから受信した第２映像とを比較し、移動端末機１００のユーザと、ウェアラブルデバイス２００ユーザとが同一人であるか否かということを判断することができる（Ｓ３７８０）。
【０４５０】
移動端末機１００は、第１映像に含まれるユーザの顔、と第２映像に含まれるユーザの顔とが同一人の顔であるか否かということを判断することができる。例えば、移動端末機１００は、第１映像及び第２映像に含まれたユーザの顔の対称的構図、顔の主要部分である目、鼻、口の距離や模様、目の色相などを分析し、第１映像に含まれた顔と、第２映像に含まれた顔とが同一であるか否かということを判断することができる。
【０４５１】
移動端末機１００は、移動端末機１００ユーザと、ウェアラブルデバイス２００着用者とが同一であると判断した場合、移動端末機１００ユーザと、ウェアラブルデバイス２００着用者とが同一ユーザであると判断することができ、移動端末機の動作状態を、共用モードから個人モードに転換することができる（Ｓ３７９０）。
【０４５２】
図３７の３７９０段階（Ｓ３７９０）は、図３４の３４９０段階（Ｓ３４９０）に対応するので、具体的な説明は省略する。
【０４５３】
図３８は、本発明の一実施形態による、移動端末機の共用モード及び個人モードを示す図面である。
【０４５４】
図３８（ａ）を参照すれば、本発明の一実施形態による移動端末機１００の共用モードでは、一部アプリケーションメニューが表示されない。
【０４５５】
このとき、共用モードで表示されていない一部アプリケーションは、移動端末機ユーザの私生活情報を含むアプリケーション（例えば、メッセージアプリケーション、ギャラリアプリケーション、連絡先アプリケーションなど）を含んでもよい。または、ユーザによって既設定のアプリケーションでもある。
【０４５６】
一方、移動端末機１００は、移動端末機ユーザと、ウェアラブルデバイスユーザとが同一人であると判断される場合、移動端末機１００の動作モードを、個人モードに転換することができる。
【０４５７】
例えば、移動端末機１００は、移動端末機１００ユーザと、ウェアラブルデバイス２００ユーザとが同一人であると判断される場合は、図３４ないし図３７で説明したように、移動端末機１００の動きと、ウェアラブルデバイス２００の動きとが同一である場合、移動端末機１００ユーザの生体信号と、ウェアラブルデバイス２００着用者の生体信号とが同一である場合、移動端末機１００のタッチパターンとウェアラブルデバイス２００で撮影されたパターンが同一である場合、移動端末機１００ユーザ映像とウェアラブルデバイス２００ユーザ映像が同一である場合などを含んでもよい。ただし、それらに限定されるものではない。
【０４５８】
一方、本発明の一実施形態による移動端末機１００の個人モードでは、図３８（ｂ）に図示されているように、共用モードで表示されていなかったアプリケーションメニューを表示することができる。
【０４５９】
また、移動端末機は、ユーザ入力に基づいて、共用モードで表示されていなかったアプリケーションメニューが選択される場合、選択されたアプリケーションを実行させることができる。
【０４６０】
それにより、本発明の一実施形態による移動端末機１００は、移動端末機１００ユーザが、移動端末機１００と連結されたウェアラブルデバイス２００を着用している場合にだけ、一部アプリケーション（例えば、移動端末機ユーザの私生活情報が含まれたアプリケーションなど）を表示して実行させることができ、移動端末機１００ユーザのプライバシーを保護することができる。
【０４６１】
図３９は、本発明の一実施形態による、移動端末機の共用モードでの動作方法を示す図面であり、図４０は、本発明の一実施形態による、移動端末機の個人モードでの動作方法を示す図面である。
【０４６２】
図３９（ａ）を参照すれば、本発明の一実施形態による移動端末機１００の共用モードでは、移動端末機１００にインストールされたアプリケーションメニューが表示される。
【０４６３】
このとき、移動端末機１００ユーザがディスプレイ部に表示されたアプリケーションメニューのうち一部アプリケーションを選択する場合、選択されたアプリケーションの実行が制限される。
【０４６４】
実行が制限される一部アプリケーションは、移動端末機１００ユーザの私生活情報を含むアプリケーション（例えば、メッセージアプリケーション、ギャラリアプリケーション、連絡先アプリケーションなど）を含んでもよい。または、ユーザによって既設定のアプリケーションでもある。
【０４６５】
また、移動端末機１００は、ユーザが実行が制限される一部アプリケーションを選択する場合、当該アプリケーションを実行させることができないというメッセージを表示することができる。例えば、図３９（ａ）に図示されているように、移動端末機ユーザがギャラリアプリケーションを選択する場合、図３９（ｂ）に図示されているように、移動端末機１００は、ギャラリアプリケーションを実行させることができないというメッセージ３９２０を表示することができる。
【０４６６】
一方、移動端末機１００は、移動端末機１００ユーザと、ウェアラブルデバイス２００ユーザとが同一人であると判断される場合、移動端末機１００の動作モードを、個人モードに転換することができる。
【０４６７】
図４０（ａ）を参照すれば、本発明の一実施形態による移動端末機１００の個人モードでも、移動端末機１００にインストールされたアプリケーションメニューが表示される。
【０４６８】
このとき、移動端末機１００ユーザがディスプレイ部に表示されたアプリケーションメニューのうち、共用モードで実行が制限された一部アプリケーション（例えば、移動端末機ユーザの私生活情報を含むアプリケーション）を選択する場合、選択されたアプリケーションを実行することができる。
【０４６９】
例えば、図４０（ａ）に図示されているように、移動端末機ユーザがギャラリアプリケーションを選択する場合、図４０（ｂ）に図示されているように、移動端末機１００は、ギャラリアプリケーションの実行画面４０２０を表示することができる。
【０４７０】
それにより、本発明の一実施形態による移動端末機１００は、移動端末機１００ユーザが移動端末機と連結されたウェアラブルデバイスを着用している場合にだけ、一部アプリケーション（例えば、移動端末機ユーザの私生活情報が含まれたアプリケーションなど）を実行させることができ、移動端末機ユーザのプライバシーを保護することができる。
【０４７１】
図４１は、本発明の一実施形態による、移動端末機の共用モード及び個人モードを示す図面である。
【０４７２】
図４１を参照すれば、本発明の一実施形態による移動端末機１００の共用モードでは、アプリケーションの一部機能が制限される。
【０４７３】
例えば、図４１（ａ）に図示されているように、移動端末機１００の共用モードでギャラリアプリケーションが実行される場合、ギャラリアプリケーションに保存された一部イメージが表示されない。このとき、共用モードで表示されていない一部イメージは、ユーザによって既設定のイメージでもある。
【０４７４】
一方、移動端末機１００は、移動端末機１００ユーザと、ウェアラブルデバイスユーザとが同一人であると判断される場合、移動端末機１００の動作モードを、個人モードに転換することができる。
【０４７５】
本発明の一実施形態による移動端末機１００の個人モードでは、図４１（ｂ）に図示されているように、ギャラリアプリケーションを実行させた場合、共用モードで表示されていなかったイメージ４１２０を表示することができる。
【０４７６】
それにより、本発明の一実施形態による移動端末機１００は、移動端末機１００ユーザが、移動端末機１００と連結されたウェアラブルデバイスを着用している場合にだけ、アプリケーションの一部機能（例えば、制限されたイメージ表示）を実行させることができ、移動端末機ユーザのプライバシーを保護することができる。
【０４７７】
図４２及び図４３は、本発明の一実施形態による、移動端末機の構成を示すブロック図である。
【０４７８】
図４２を参照すれば、本発明の一実施形態によれば、移動端末機１００は、通信部１１０、制御部１３０、センシング部１５０を含んでもよい。しかし、図示された構成要素がいずれも必須構成要素であるものではない。図示された構成要素より多くの構成要素によってデバイス１００が具現されもし、それより少ない構成要素によっても、デバイス１００が具現される。
【０４７９】
例えば、図４３に図示されているように、本発明の一実施形態による移動端末機１００は、通信部１１０、制御部１３０、センシング部１５０以外に、出力部１２０、ユーザ入力部１４０、Ａ／Ｖ（audio/video）入力部１６０及び保存部１７０をさらに含んでもよい。
以下、前記構成要素について、順に沿って説明する。
【０４８０】
通信部１１０は、移動端末機１００と、ウェアラブルデバイス２００との通信、または外部デバイスとの通信を行うための１以上の構成要素を含んでもよい。例えば、通信部１１０は、近距離通信部（short-range wireless communication unit）１１１、移動通信部１１２、放送受信部１１３を含んでもよい。
【０４８１】
近距離通信部１１１は、ブルートゥース通信部、近距離無線通信部（near field communication unit）、ＷＬＡＮ（wireless local area network）（Ｗｉ−Ｆｉ）通信部、ジグビー通信部、赤外線（ＩｒＤＡ：infrared data association）通信部、ＷＦＤ（Ｗｉ−Ｆｉ direct）通信部、ＵＷＢ（ultra wideband）通信部、Ａｎｔ＋通信部などを含んでもよいが、それらに限定されるものではない。
【０４８２】
移動通信部１１２は、移動通信網上で、基地局、外部の端末、サーバのうち少なくとも一つと無線信号を送受信する。ここで、該無線信号は、音声コール信号、画像通話コール信号、または文字／マルチメディアメッセージ送受信による多様な形態のデータを含んでもよい。
【０４８３】
放送受信部１１３は、放送チャネルを介して、外部から放送信号及び／または放送関連情報を受信する。該放送チャネルは、衛星チャネル、地上波チャネルを含んでもよい。具現例によれば、移動端末機１００が放送受信部１１３を含まないこともある。
【０４８４】
通信部１１０は、ウェアラブルデバイス２００とデータなどを送信したり受信したりすることができる。また、通信部１１０は、ウェアラブルデバイス２００から、ウェアラブルデバイス２００のユーザ認証情報またはデバイス識別情報を受信することができ、移動端末機１００のユーザ認証情報または端末機識別情報などを、ウェアラブルデバイス２００に伝送することができる。
【０４８５】
また、通信部１１０は、移動端末機１００と連結されたウェアラブルデバイス２００から、ウェアラブルデバイス２００の動き情報、ウェアラブルデバイス２００着用者の生体情報、ウェアラブルデバイス２００で撮影されたパターン情報、ウェアラブルデバイス２００ユーザ映像などを受信することができる。
【０４８６】
出力部１２０は、オーディオ信号、ビデオ信号または振動信号の出力のためのものであり、これには、ディスプレイ部１２１、スピーカ１２２、振動モータ１２３などが含まれる。
【０４８７】
ディスプレイ部１２１は、移動端末機１００で処理される情報を表示出力する。例えば、ディスプレイ部１２１は、移動端末機１００と連結されたウェアラブルデバイス２００が既設定の範囲内に存在する場合、モーション解除機能通知メッセージを表示することができ、移動端末機１００のロッキングモードが解除される場合、ホームスクリーンを表示することができる。
【０４８８】
また、ディスプレイ部１２１は、ウェアラブルデバイス２００で表示中であるウェブページ、コンテンツなどを表示することができ、ウェアラブルデバイス２００で受信したメッセージを表示することができる。
【０４８９】
一方、ディスプレイ部１２１とタッチパッドとがレイヤ構造をなしてタッチスクリーンとして構成される場合、ディスプレイ部１２１は、出力装置以外に、入力装置としても使用される。ディスプレイ部１２１は、液晶ディスプレイ（liquid crystal display）、薄膜トランジスタ液晶ディスプレイ（thin film transistor-liquid crystal display）、有機発光ダイオード（organic light-emitting diode）、フレキシブルディスプレイ（flexible display）、三次元ディスプレイ（３Ｄ display）、電気泳動ディスプレイ（electrophoretic display）のうち少なくとも一つを含んでもよい。そして、第１デバイス１００の具現形態によって、移動端末機１００は、ディスプレイ部１２１を２個以上含んでもよい。
【０４９０】
スピーカ１２２は、通信部１１０から受信されるか、あるいはメモリ１７０に保存されたオーディオデータを出力する。また、スピーカ１２２は、第１デバイス１００で遂行される機能（例えば、コール信号受信音、メッセージ受信音、通知音）に係わる音響信号を出力する。かようなスピーカ１２２には、ブザー（buzzer）などが含まれてもよい。
【０４９１】
振動モータ１２３は、振動信号を出力することができる。例えば、振動モータ１２３は、オーディオデータまたはビデオデータ（例えば、コール信号受信音、メッセージ受信音など）の出力に対応する振動信号を出力することができる。また、振動モータ１２３は、タッチスクリーンにタッチが入力される場合、振動信号を出力することもできる。
【０４９２】
制御部１３０は、移動端末機１００の全般的な動作を制御する。例えば、制御部１３０は、保存部１７０に保存されたプログラムを実行することにより、通信部１１０、出力部１２０、ユーザ入力部１４０、センシング部１５０、Ａ／Ｖ入力部１６０などを制御することができる。
【０４９３】
制御部１３０は、移動端末機１００の動き情報と、ウェアラブルデバイス２００の動き情報とを比較し、移動端末機１００の動きと、ウェアラブルデバイス２００の動きとが同一である場合、移動端末機１００のロッキングモードを解除することができる。
【０４９４】
制御部１３０は、ウェアラブルデバイス２００が移動端末機１００に連結されているか否かということを判断することができる。制御部１３０は、移動端末機１００の動きと、既設定の動きとを比較し、移動端末機１００の動きと、既設定の動きとが同一である場合、通信部１１０がウェアラブルデバイス２００の動き情報を受信するように制御することができる。
【０４９５】
制御部１３０は、移動端末機１００の動きと、ウェアラブルデバイス２００の動きとが同一である場合、ウェアラブルデバイス２００で遂行中である動作に係わる動作を遂行するように制御することができる。
【０４９６】
制御部１３０は、ウェアラブルデバイス２００でコンテンツを再生しており、移動端末機１００の動きと、ウェアラブルデバイス２００の動きとが同一である場合、ウェアラブルデバイス２００で再生中であるコンテンツを続けて再生するように制御することができる。
【０４９７】
制御部１３０は、ウェアラブルデバイス２００でウェブページを表示しており、移動端末機１００の動きと、ウェアラブルデバイス２００の動きとが同一である場合、ウェアラブルデバイス２００で表示中であるウェブページと同一ウェブページを表示するように制御することができる。
【０４９８】
制御部１３０は、ウェアラブルデバイス２００に通話連結要請が受信され、移動端末機１００の動きと、ウェアラブルデバイス２００の動きとが同一である場合、通話連結を行うように制御することができる。
【０４９９】
制御部１３０は、ウェアラブルデバイス２００に通知メッセージが受信され、移動端末機１００の動きと、ウェアラブルデバイス２００の動きとが同一である場合、お知らせメッセージに係わるアプリケーションを実行するように制御することができる。
【０５００】
ユーザ入力部１４０は、ユーザが、移動端末機１００を制御するためのデータを入力する手段を意味する。例えば、ユーザ入力部１４０には、キーパッド（key pad）、ドームスイッチ（dome switch）、タッチパッド（接触式静電容量方式、圧力式抵抗膜方式、赤外線感知方式、表面超音波伝導方式、積分式張力測定方式、ピエゾ効果方式など）、ジョグホイール、ジョグスイッチなどがあるが、それらに限定されるものではない。
【０５０１】
センシング部１５０は、移動端末機１００の状態、または移動端末機１００周辺の状態を感知し、感知された情報を制御部１３０に伝達することができる。
【０５０２】
センシング部１５０は、地磁気センサ（magnetic sensor）１５１、加速度センサ（acceleration sensor）１５２、温度／湿度センサ１５３、赤外線センサ１５４、ジャイロスコープセンサ１５５、位置センサ（例えば、ＧＰＳ（global position system））１５６、気圧センサ１５７、近接センサ１５８及びＲＧＢセンサ（luminance sensor）１５９のうち少なくとも一つを含んでもよいが、それらに限定されるものではない。各センサの機能は、その名称から当業者が直観的に推論することができるので、具体的な説明は省略する。
【０５０３】
センシング部１５０は、移動端末機１００の動き、移動端末機ユーザの生体信号、移動端末機に入力されるタッチ信号などをセンシングすることができる。
【０５０４】
Ａ／Ｖ（audio/video）入力部１６０は、オーディオ信号またはビデオ信号の入力のためのものであり、それには、カメラ１６１やマイクロフォン１６２などが含まれる。カメラ１６１は、画像通話モードまたは撮影モードで、イメージセンサを介して、静止映像または動画などの画像フレームを得ることができる。イメージセンサを介してキャプチャされたイメージは、制御部１２０、または別途のイメージ処理部（図示せず）を介して処理される。
【０５０５】
カメラ１６１で処理された画像フレームは、保存部１７０に保存されるか、あるいは通信部１５０を介して外部に伝送される。カメラ１６１は、移動端末機１００の構成様態によって、２個以上が具備されてもよい。
【０５０６】
マイクロフォン１６２は、外部の音響信号を入力され、電気的な音声データに処理する。例えば、マイクロフォン１６２は、外部デバイスまたは話者から音響信号を受信することができる。マイクロフォン１６２は、外部の音響信号を入力される過程で発生するノイズ（noise）を除去するための多様なノイズ除去アルゴリズムを利用することができる。
【０５０７】
保存部１７０は、制御部１３０の処理及び制御のためのプログラムを保存することもでき、入出力されるデータ（例えば、アプリケーション、コンデンツ、外部デバイスの時間帯情報、アドレスブックなど）を保存することもできる。
【０５０８】
保存部１７０は、フラッシュメモリタイプ（flash memory type）、ハードディスクタイプ（hard disk type）、マルチメディアカードマイクロタイプ（multimedia card micro type）、カードタイプのメモリ（例えば、ＳＤメモリまたはＸＤメモリなど）、ＲＡＭ（random access memory）、ＳＲＡＭ（static random access memory）、ＲＯＭ（read-only memory）、ＥＥＰＲＯＭ（electrically erasable programmable read-only memory）、ＰＲＯＭ（programmable read only memory）、磁気メモリ、磁気ディスク、光ディスクのうち少なくとも１つのタイプの記録媒体を含んでもよい。また、デバイス１００は、インターネット上で、メモリ１７０の保存機能を遂行するウェブストレージ（web storage）またはクラウドサーバを運用することもできる。
【０５０９】
メモリ１７０に保存されたプログラムは、その機能によって、複数個のモジュールに分類することができるが、例えば、ＵＩ（user interface）モジュール１７１、タッチスクリーンモジュール１７２、アラームモジュール１７３などに分類される。
【０５１０】
ＵＩモジュール１７１は、アプリケーション別に移動端末機１００と連動される特化されたＵＩ、ＧＵＩ（graphic user interface）などを提供することができる。タッチスクリーンモジュール１７２は、ユーザのタッチスクリーン上のタッチジェスチャを感知し、タッチジェスチャに係わる情報を制御部１３０に伝達することができる。本発明の一実施形態によるタッチスクリーンモジュール１７２は、タッチコードを認識して分析することができる。タッチスクリーンモジュール１７２は、コントローラを含む別途のハードウェアでも構成される。
【０５１１】
タッチスクリーンのタッチまたは近接タッチを感知するために、タッチスクリーンの内部または近くに、多様なセンサが具備される。タッチスクリーンのタッチを感知するためのセンサの一例として、触覚センサがある。触覚センサは、人が感じる程度またはそれ以上に特定物体の接触を感知するセンサをいう。触覚センサは、接触面の粗度、接触物体の硬度、接触地点の温度などの多様な情報を感知することができる。
【０５１２】
また、タッチスクリーンのタッチを感知するためのセンサの一例として、近接センサがある。
【０５１３】
該近接センサは、所定の検出面に近寄る物体、あるいは近傍に存在する物体の有無を電子系の力または赤外線を利用して、機械的接触なしに検出するセンサをいう。近接センサの例としては、透過型光電センサ、直接反射型光電センサ、ミラー反射型光電センサ、高周波発振型近接センサ、静電容量型近接センサ、磁気型近接センサ、赤外線近接センサなどがある。ユーザのタッチジェスチャには、タップ、タッチ＆ホールド、ダブルタップ、ドラッグ、パンニング、フリック、ドラッグ・アンド・ドロップ、スワイプなどがある。
【０５１４】
アラームモジュール１７３は、移動端末機１００のイベント発生を知らせるための信号を発することができる。移動端末機１００で生じるイベントの例としては、コール信号受信、メッセージ受信、キー信号入力、日程通知などがある。アラームモジュール１７３は、ディスプレイ部１２１を介して、ビデオ信号形態でアラーム信号を出力することもでき、スピーカ１２２を介して、オーディオ信号形態でアラーム信号を出力することもでき、振動モータ１２３を介して、振動信号形態でアラーム信号を出力することもできる。
【０５１５】
図４４は、本発明の一実施形態による、ウェアラブルデバイスの構成について説明するためのブロック図である。
【０５１６】
図４４に図示されているように、本発明の一実施形態によるウェアラブルデバイス２００は、通信部２１０、制御部２３０、センシング部２５０、撮影部２６０及びディスプレイ部２７０を含んでもよい。しかし、図示された構成要素がいずれも必須構成要素であるものではない。図示された構成要素より多くの構成要素によってウェアラブルデバイス２００が具現されもし、それより少ない構成要素によっても、ウェアラブルデバイス２００が具現される。
以下、前記構成要素について順に説明する。
【０５１７】
通信部２１０は、ウェアラブルデバイス２００と、移動端末機１００との通信、または外部デバイスとの通信を行うための１以上の構成要素を含んでもよい。例えば、通信部２１０は、近距離通信部、移動通信部、放送受信部などを含んでもよい。近距離通信部、移動通信部、放送受信部は、図４２の近距離通信部１１１、移動通信部１１２、放送受信部１１３に係わる説明で代替する。
【０５１８】
センシング部２５０は、ウェアラブルデバイス２００の状態、またはウェアラブルデバイス２００周辺の状態を感知し、感知された情報を制御部２３０に伝達することができる。
【０５１９】
センシング部１５０は、ウェアラブルデバイス２００の動き、ウェアラブルデバイス２００ユーザの生体信号などをセンシングすることができる。
【０５２０】
また、センシング部２５０は、ウェアラブルデバイス２００の着用いかんを感知することができる。例えば、センシング部２５０は、圧力センサ、接地センサなどを利用して、ウェアラブルデバイス２００の着用いかんを感知することができる。これについては、図６で詳細に説明したので、具体的な説明は省略する。
【０５２１】
それ以外にも、センシング部２５０は、地磁気センサ、加速度センサ、温度／湿度センサ、赤外線センサ、ジャイロスコープセンサ、位置センサ（例えば、ＧＰＳ）、気圧センサ、近接センサ及びＲＧＢセンサのうち少なくとも一つを含んでもよいが、それらに限定されるものではない。
【０５２２】
撮影部２６０は、カメラを含み、移動端末機１００に入力されるタッチパターンを撮影することができ、ウェアラブルデバイス２００ユーザを撮影することができる。
【０５２３】
該カメラは、画像通話モードまたは撮影モードで、イメージセンサを介して、静止映像または動画などの画像フレームを得ることができる。イメージセンサを介してキャプチャされたイメージは、制御部２３０または別途のイメージ処理部（図示せず）を介して処理される。カメラで処理された画像フレームは、メモリに保存されるか、あるいは通信部２１０を介して外部に伝送される。該カメラは、ウェアラブルデバイス２００の構成様態によって、２個以上が具備されてもよい。
【０５２４】
ディスプレイ部２７０は、ウェブページ、多様なコンテンツなどを表示することができ、ウェアラブルデバイス２００にインストールされたアプリケーションメニューを表示することができる。
【０５２５】
制御部２３０は、ウェアラブルデバイス２００の全般的な動作を制御する。例えば、制御部２３０は、通信部２１０、センシング部２２０、撮影部２６０、ディスプレイ部２７０などを制御することができる。
【０５２６】
図４５は、本発明の一実施形態による、スマートドアロックとウェアラブルデバイスとのインタラクションを示す図面である。
【０５２７】
本発明の一実施形態によるスマートドアロック３００は、図４２で説明した移動端末機１００の一実施形態でもあり、通信部１１０、制御部１３０及びセンシング部１５０を含んでもよい。
【０５２８】
本発明の一実施形態によるウェアラブルデバイス２００は、ロッキングモードが解除された状態でもある。例えば、ウェアラブルデバイス２００のロッキングモードが解除された状態は、ウェアラブルデバイス２００のディスプレイ部に、ホームスクリーンが表示される状態でもある。または、ウェアラブルデバイス２００のディスプレイ部に、ウェアラブルデバイス２００にインストールされたアプリケーションメニューが表示され、当該アプリケーションメニューを選択すれば、選択されたアプリケーションを実行することができる状態を意味する。
【０５２９】
また、ウェアラブルデバイス２００は、既設定の距離範囲内に存在するスマートドアロック３００に、識別情報を伝送することができる。例えば、スマートドアロック３００とウェアラブルデバイス２００とが、既設定の距離範囲内に存在する場合、スマートドアロック３００とウェアラブルデバイス２００は、近距離通信を利用して、互いにユーザ識別情報またはデバイス識別情報を送受信することができる。それにより、スマートドアロック３００は、スマートドアロック３００から、既設定の距離範囲内に存在するウェアラブルデバイス２００を認識することができる。
【０５３０】
スマートドアロック３００は、認識されたウェアラブルデバイス２００が、スマートドアロック３００と連結されたウェアラブルデバイスであるか否かということを判断することができる。例えば、スマートドアロック３００は、ウェアラブルデバイス２００から受信した識別情報を、スマートドアロック３００に登録されたウェアラブルデバイス２００の識別情報と比較し、認識されたウェアラブルデバイス２００が、スマートドアロック３００に連結されたウェアラブルデバイス２００であるか否かということを判断することができる。
【０５３１】
スマートドアロック３００は、認識されたウェアラブルデバイス２００が、スマートドアロック３００に連結されたウェアラブルデバイスである場合、スマートドアロック３００は、ウェアラブルデバイス２００に、ウェアラブルデバイス２００の動き情報を要請することができる。ウェアラブルデバイス２００は、要請に応答し、地磁気センサ、位置センサ、加速度センサ、近接センサ、ジャイロスコープセンサなどを利用して、ウェアラブルデバイス２００が動く方向、速度、速度の変化などを測定することができる。また、ウェアラブルデバイス２００は、ウェアラブルデバイス２００でセンシングされたウェアラブルデバイス２００の動き情報をスマートドアロック３００に伝送することができる。
【０５３２】
スマートドアロック３００は、受信したウェアラブルデバイス２００の動き情報を基に、ウェアラブルデバイス２００の動きが、ウェアラブルデバイス２００のユーザがスマートドアロック３００の取っ手を回転させる動き（スマートドアロックを回して開ける動き）であるか否かということを判断することができる。例えば、スマートドアロック３００は、ウェアラブルデバイス２００の動き情報と、既保存の動き情報（例えば、スマートドアロックの取っ手を回す動き情報）とが所定基準以上の相関関係があるか否かということを判断することができる。
【０５３３】
スマートドアロック３００は、ウェアラブルデバイス２００の動き情報と、既保存の動き情報とが所定基準以上の相関関係がある場合、スマートドアロックのロッキングを解除することができる。
【０５３４】
図４６は、一実施形態による、移動端末機の動きと、ウェアラブルデバイスの動きとが同一である場合、移動端末機で受信した通知メッセージの詳細情報を表示する方法を示す図面である。
【０５３５】
図４６を参照すれば、移動端末機１００がロッキングモードで、通知メッセージ４６１０を受信し、移動端末機１００の動きと、ウェアラブルデバイス２００の動きとが同一である場合、移動端末機１００は、受信された通知メッセージ４６１０に係わるアプリケーションを実行させることができる。
【０５３６】
例えば、移動端末機１００は、ロッキングモード状態で、ＳＮＳアプリケーション関連通知メッセージ、メッセージ受信を知らせるメッセージ、ゲームアプリケーション関連通知メッセージなど多様な通知メッセージを受信し、ディスプレイ部に表示することができる。また、通知メッセージは、ポップアップウィンドウに表示される。
【０５３７】
移動端末機１００は、移動端末機１００と連結されたウェアラブルデバイス２００でセンシングされた動き情報と、同一時間に移動端末機１００でセンシングされた動き情報とが同一である場合、移動端末機１００のロッキングモードを解除し、通知メッセージ４６１０関連アプリケーションを実行させることができる。
【０５３８】
例えば、図４６に図示されているように、移動端末機１００は、通知メッセージ４６１０が、メッセージ（例えば、文字メッセージ、インスタントメッセージ、チャットメッセージ、電子メールなど）受信を知らせるメッセージである場合、メッセージ関連アプリケーションを実行させ、受信したメッセージ４６２０をディスプレイ部に表示することができる。
【０５３９】
それにより、移動端末機１００のロッキングモード状態で、通知メッセージ４６１０を受信する場合、移動端末機１００のロッキングモードを解除し、当該アプリケーションを選択して実行させる必要なしに、モーション（例えば、移動端末機を手にして持ち上げるモーションなど）だけで、通知メッセージ４６１０関連詳細内容を確認することができる。
【０５４０】
また、実施形態は、コンピュータで読み取り可能なコード及び／またはインストラクションが記録された媒体（例えば、非一時的なコンピュータで読み取り可能な媒体）が、前述の実施形態を実施するために、少なくとも１つのプロセッシング要素を制御するように具現される。該媒体は、コンピュータで読み取り可能なコードの伝送を行うか、あるいはストレージとして提供することができる媒体、またはメディア（media）に対応する。
【０５４１】
コンピュータで読み取り可能なコードは、多様な方法で媒体に記録されたり伝送されたりする。例えば、該媒体は、記録媒体、磁気記録媒体（例えば、ＲＯＭ、フロッピーディスク、ハードディスクなど）、光学記録媒体（例えば、ＣＤ−ＲＯＭ（compact disc read only memory）、ＤＶＤ（digital versatile disc））、インターネット伝送媒体のような伝送媒体）を含んでもよい。従って、該媒体は、１以上の実施形態によって、ビットストリームを伝送する装置のように、信号または情報を保存または伝送するのに適する構造を有することができる。該媒体は、分散ネットワーク（distributed network）上に存在することができ、その結果、コンピュータで読み取り可能なコードは、該媒体に保存されたり伝送されたりし、分散された方式で実行される。また、プロセッシング要素は、プロセッサ、コンピュータプロセッサを含んでもよく、該プロセッシング要素は、分散されるか、あるいは１つの装置に含まれもする。
【０５４２】
以上の実施形態及び効果は単に例示であり、それらに限定されるものであると解釈されるものではない。本開始は、他種の装置に容易に適用される。また、実施形態に係わる説明は、説明のためのものであり、クレームの範囲を制限するものではなく、多くの代案（alternatives）、修正（modificaitons）及び変形は、当業者に明らかになるであろう。
【符号の説明】
【０５４３】
１００  移動端末機
１１０  通信部
１１１  近距離通信部
１１２  移動通信部
１１３  放送受信部
１２０  出力部
１２１  ディスプレイ部
１２２  スピーカ
１２３  振動モータ
１３０  制御部
１４０  ユーザ入力部
１５０  センシング部
１５１  地磁気センサ
１５２  加速度センサ
１５３  温度/湿度センサ
１５４  紫外線センサ
１５５  ジャイロスコープセンサ
１５７  気圧センサ
１５８  近接センサ
１６０  入力部
１６１  カメラ
１６２  マイクロフォン
１７０  保存部
１７１  UIモジュール
１７２  タッチスクリーンモジュール
１７３  アラームモジュール
２００  ウェアラブルデバイス
２１０  通信部
２２０  センシング部
２３０  制御部
２５０  センシング部
２６０  撮影部
２７０  ディスプレイ部
３００  スマートドアロック
８２０  ホームスクリーン
９１０  ロッキングモード画面
９２０  ホームスクリーン
【図１】
0006543691.tif 000002
【図２】
0006543691.tif 000003
【図３Ａ】
0006543691.tif 000004
【図３Ｂ】
0006543691.tif 000005
【図４】
0006543691.tif 000006
【図５】
0006543691.tif 000007
【図６】
0006543691.tif 000008
【図７】
0006543691.tif 000009
【図８Ａ】
0006543691.tif 000010
【図８Ｂ】
0006543691.tif 000011
【図９Ａ】
0006543691.tif 000012
【図９Ｂ】
0006543691.tif 000013
【図１０】
0006543691.tif 000014
【図１１】
0006543691.tif 000015
【図１２】
0006543691.tif 000016
【図１３】
0006543691.tif 000017
【図１４】
0006543691.tif 000018
【図１５】
0006543691.tif 000019
【図１６】
0006543691.tif 000020
【図１７】
0006543691.tif 000021
【図１８】
0006543691.tif 000022
【図１９】
0006543691.tif 000023
【図２０】
0006543691.tif 000024
【図２１】
0006543691.tif 000025
【図２２】
0006543691.tif 000026
【図２３】
0006543691.tif 000027
【図２４】
0006543691.tif 000028
【図２５】
0006543691.tif 000029
【図２６】
0006543691.tif 000030
【図２７】
0006543691.tif 000031
【図２８】
0006543691.tif 000032
【図２９】
0006543691.tif 000033
【図３０】
0006543691.tif 000034
【図３１】
0006543691.tif 000035
【図３２】
0006543691.tif 000036
【図３３】
0006543691.tif 000037
【図３４】
0006543691.tif 000038
【図３５】
0006543691.tif 000039
【図３６】
0006543691.tif 000040
【図３７】
0006543691.tif 000041
【図３８（ａ）】
0006543691.tif 000042
【図３８（ｂ）】
0006543691.tif 000043
【図３９】
0006543691.tif 000044
【図４０（ａ）】
0006543691.tif 000045
【図４０（ｂ）】
0006543691.tif 000046
【図４１（ａ）】
0006543691.tif 000047
【図４１（ｂ）】
0006543691.tif 000048
【図４２】
0006543691.tif 000049
【図４３】
0006543691.tif 000050
【図４４】
0006543691.tif 000051
【図４５】
0006543691.tif 000052
【図４６】
0006543691.tif 000053